(57)【要約】  モバイル通信システムのための基地局は、少なくとも１つのユーザ機器および少なくとも別の基地局と通信するように構成された回路を有する。回路は、無線リソース制御ダイバーシティのために無線リソース制御メッセージを構成し、構成された無線リソース制御メッセージをユーザ機器へ送信する、または構成された無線リソース制御メッセージをユーザ機器および少なくとも別の基地局から受信するようにさらに構成される。【選択図】図２
2019531007.tif 000002
【特許請求の範囲】
【請求項１】
少なくとも１つのユーザ機器および少なくとも別の基地局と通信するように構成された回路を備えるモバイル通信システムのための基地局であって、前記回路が、
無線リソース制御ダイバーシティのために無線リソース制御メッセージを構成し、
前記構成された無線リソース制御メッセージを前記ユーザ機器へ送信する、または構成された無線リソース制御メッセージを前記ユーザ機器および前記少なくとも別の基地局から受信する
ようにさらに構成される、基地局。
【請求項２】
前記無線リソース制御メッセージが、ハンドオーバ、無線リソース制御確立、無線リソース制御再確立、無線リソース制御接続中断、および無線リソース制御接続再開のうちの少なくとも１つに関連付けられる、請求項１に記載の基地局。
【請求項３】
前記回路が、前記無線リソース制御ダイバーシティをオン／オフにする、または、特定の無線リソース制御メッセージについて、前記無線リソース制御ダイバーシティをオン／オフにするようにさらに構成されている、請求項１に記載の基地局。
【請求項４】
前記回路が、前記構成された無線リソース制御メッセージに基づいて、前記無線リソース制御ダイバーシティをオン／オフにするようにさらに構成されている、請求項３に記載の基地局。
【請求項５】
前記回路が、前記構成された無線リソース制御メッセージが送信される前記ユーザ機器に基づいて、前記無線リソース制御ダイバーシティをオン／オフにするようにさらに構成されている、請求項３に記載の基地局。
【請求項６】
前記回路が、前記無線リソース制御ダイバーシティをオン／オフにする、または、特定の無線リソース制御メッセージについて、前記無線リソース制御ダイバーシティをオン／オフにするための指示メッセージを前記ユーザ機器に送信するようにさらに構成されている、請求項３に記載の基地局。
【請求項７】
無線リソース制御ダイバーシティが、アップリンク基準信号測定に基づいて開始され、前記無線リソース制御ダイバーシティが、ダウンリンク通信またはアップリンク通信について実行される、請求項１に記載の基地局。
【請求項８】
前記回路が、フィードバック信号およびアップリンク基準信号のうちの少なくとも１つを送信するために前記ユーザ機器を構成するようにさらに構成されている、請求項７に記載の基地局。
【請求項９】
前記回路が、前記受信されたフィードバック信号およびアップリンク基準信号のうちの少なくとも１つに基づいて、無線リソース制御構成を定義するようにさらに構成されている、請求項８に記載の基地局。
【請求項１０】
前記無線リソース制御ダイバーシティが、ダウンリンク基準信号測定に基づいて開始され、前記無線リソース制御ダイバーシティが、アップリンク通信またはダウンリンク通信について実行される、請求項１に記載の基地局。
【請求項１１】
前記回路が、ダウンリンク無線リソース制御ダイバーシティセットおよびアップリンク無線リソース制御ダイバーシティセットのうちの少なくとも１つを決定するようにさらに構成されている、請求項１に記載の基地局。
【請求項１２】
前記回路が、ダウンリンク品質に基づいて前記ダウンリンク無線リソース制御ダイバーシティセットを決定する、またはアップリンク品質に基づいて前記アップリンク無線リソース制御ダイバーシティセットを決定するようにさらに構成されている、請求項１１に記載の基地局。
【請求項１３】
前記構成された無線リソース制御メッセージが、元の無線リソース制御メッセージ生成器識別子および追加の無線リソース制御送信機識別子のうちの少なくとも１つを含む、請求項１に記載の基地局。
【請求項１４】
前記回路が、前記構成された無線リソース制御メッセージを反復送信するようにさらに構成されている、請求項１に記載の基地局。
【請求項１５】
前記構成された無線リソース制御メッセージの前記反復送信が、無線リソース制御メッセージの受信に応答して設定される、請求項１４に記載の基地局。
【請求項１６】
前記反復送信が、所定のイベントに応答して、または所定の時間期間後に終了する、請求項１４に記載の基地局。
【請求項１７】
タイマーが、前記構成された無線リソース制御メッセージの送信後に開始される、請求項１に記載の基地局。
【請求項１８】
前記タイマーが、所定の時間期間後に満了する、請求項１７に記載の基地局。
【請求項１９】
前記タイマーが、受信された無線リソース制御メッセージに応答して停止される、請求項１７に記載の基地局。
【請求項２０】
前記タイマーの満了後に所定の動作が実行される、請求項１８に記載の基地局。
【請求項２１】
前記基地局が前記ユーザ機器にサービスを提供しない場合、前記回路が、前記ユーザ機器にサービスを提供する別の基地局に、受信された無線リソース制御メッセージを送信するようにさらに構成されている、請求項１に記載の基地局。
【請求項２２】
前記基地局が前記ユーザ機器にサービスを提供しない場合、前記回路が、ユーザ機器から受信された無線リソース制御メッセージに応答して、前記ユーザ機器にサービスを提供する別の基地局に、肯定応答メッセージを送信するようにさらに構成されている、請求項１に記載の基地局。
【請求項２３】
前記回路が、別の基地局から構成された無線リソース制御メッセージを受信し、共通の無線リソース制御メッセージを送信するようにさらに構成されている、請求項１に記載の基地局。
【請求項２４】
前記共通の無線リソース制御メッセージが、以下の条件、すなわち、リンク品質、カバレージ、前記ユーザ機器のモビリティ状態のうちの少なくとも１つに基づいて送信される、請求項２３に記載の基地局。
【請求項２５】
無線リソース制御ダイバーシティ通信のために構成された回路を備えるモバイル通信システムのためのユーザ機器であって、前記回路が、
無線リソース制御ダイバーシティ通信のために構成された少なくとも２つの無線リソース制御メッセージを受信または送信する
ようにさらに構成されている、ユーザ機器。
【請求項２６】
前記回路が、基地局から受信された指示メッセージに基づいて、前記無線リソース制御ダイバーシティ通信をオン／オフにするようにさらに構成されている、請求項２５に記載のユーザ機器。
【請求項２７】
前記回路が、無線リソース制御確立に基づいて、前記無線リソース制御ダイバーシティ通信をオン／オフにするようにさらに構成されている、請求項２５に記載のユーザ機器。
【請求項２８】
前記ユーザ機器がセル境界に位置している場合、前記回路が、前記無線リソース制御ダイバーシティ通信をオン／オフにするようにさらに構成されている、請求項２５に記載のユーザ機器。
【請求項２９】
無線リンク障害が検出された場合、前記回路が、前記無線リソース制御ダイバーシティ通信をオン／オフにするようにさらに構成されている、請求項２５に記載のユーザ機器。
【請求項３０】
前記回路が、基地局から受信された無線リソース制御ダイバーシティセットに基づいて、前記少なくとも２つの無線リソース制御メッセージを受信するようにさらに構成されている、請求項２５に記載のユーザ機器。
【請求項３１】
前記回路が、ターゲット無線リソース制御受信機識別子および追加の無線リソース制御受信機識別子のうちの少なくとも１つを含む無線リソース制御メッセージを送信するようにさらに構成されている、請求項２５に記載のユーザ機器。
【請求項３２】
前記回路が、前記無線リソース制御メッセージの受信に応答して、肯定応答メッセージを送信するようにさらに構成されている、請求項２５に記載のユーザ機器。
【請求項３３】
前記肯定応答メッセージが、受信された無線リソース制御メッセージのタイプに関する指示、および前記受信された無線リソース制御メッセージの出所に関する指示のうちの少なくとも１つを含む、請求項３２に記載のユーザ機器。
【請求項３４】
ユーザ機器に無線リソース制御接続を提供するためのモバイル通信システム方法であって、前記モバイル通信システムが少なくとも２つのセルを含み、第１のセルが、第１の無線アクセス技術に基づき、第２のセルが、第２の無線アクセス技術に基づき、前記方法が、
第１の無線リソース制御メッセージを前記第１のセルから前記ユーザ機器へ送信することと、
第２の無線リソース制御メッセージを前記第２のセルから前記ユーザ機器へ送信することと、
前記第１の無線リソース制御メッセージおよび前記第２の無線リソース制御メッセージの少なくとも一方に基づいて、前記無線リソース制御接続を提供することと
を含むモバイル通信システム方法。
【請求項３５】
前記無線リソース制御メッセージが、ハンドオーバメッセージ、無線リソース制御再確立メッセージ、または無線リソース制御再構成メッセージである、請求項３４に記載のモバイル通信システム方法。
【請求項３６】
前記第１の無線リソース制御メッセージおよび前記第２の無線リソース制御メッセージが前記ユーザ機器から受信された場合、セルカバレージ、ビームカバレージ、および前記ユーザ機器のモビリティ状態のうちの少なくとも１つに基づいて、前記第１の無線リソース制御メッセージまたは第２の無線リソース制御メッセージに基づいて、ハンドオーバを実行するかどうかが決定される、請求項３４に記載のモバイル通信システム方法。
【請求項３７】
前記第１のセルがマクロセルであり、前記第１の無線リソース制御メッセージが、前記第１のセル内に位置する第３のセルについてのハンドオーバ構成データを含む、請求項３４に記載のモバイル通信システム方法。
【請求項３８】
前記第１のセルがマクロセルであり、前記第１の無線リソース制御メッセージが、第３のセルについてのハンドオーバ構成を含み、前記第３のセルが、前記第１のセルの前記無線アクセス技術に基づく、請求項３４に記載のモバイル通信システム方法。
【請求項３９】
前記第２のセルが、スモールセルであり、前記第２の無線リソース制御メッセージが、第４のセルについてのハンドオーバ構成データを含み、前記第４のセルが、前記第２のセルの前記無線アクセス技術に基づく、請求項３８に記載の通信システム方法。
【請求項４０】
前記第１の無線リソース制御メッセージが、第１のビームを示し、前記第２の無線リソース制御メッセージが、第２のビームを示し、前記第１のビームが前記第２のビームよりも広い、請求項３４に記載の通信システム方法。
【発明の詳細な説明】
【技術分野】
【０００１】
本開示は、一般に、無線リソース制御ダイバーシティを使用する基地局、ユーザ機器、およびモバイル通信システム方法に関する。
【背景技術】
【０００２】
例えば、ＩΜΤ−２０００（International  Mobile  Telecommunications-2000）仕様に基づく第３世代（「３Ｇ」）、ＩΜΤ−Ａｄｖａｎｃｅｄ  Ｓｔａｎｄａｒｄ（International  Mobile  Telecommunications-Advanced  Standard）で定義される能力を提供する第４世代（「４Ｇ」）、および開発中であり、２０２０年に実施される可能性がある現行の第５世代（「５Ｇ」）など、いくつかの世代のモバイル通信システムが知られている。
【０００３】
５Ｇの要件を提供する候補は、いわゆる「ＬＴＥ」（Long  Term  Evolution）であり、これは、携帯電話およびデータ端末のための高速データ通信を可能にするワイヤレス通信技術であり、４Ｇモバイル通信システムには既に使用されている。５Ｇ要件を満たす他の候補は、ＮＲ（New  Radio）アクセス技術システム（ＮＲ）と呼ばれる。ＬＴＥが以前の世代のモバイル通信技術に基づいていたように、ＮＲはＬＴＥ技術に基づき得る。
【０００４】
ＬＴＥは、第２世代（「２Ｇ」）のＧＳＭ／ＥＤＧＥ（「Global  System  for  Mobile  Communications」／ＥＧＰＲＳとも呼ばれる「Enhanced  Data  rates  for  GSM  Evolution」）、および第３世代（「３Ｇ」）ネットワーク技術のＵＭＴＳ／ＨＳＰＡ（「Universal  Mobile  Telecommunications  System」／「High  Speed  Packet  Access」）に基づく。
【０００５】
ＬＴＥは、３ＧＰＰ（「第３世代パートナーシッププロジェクト」）の制御下で標準化され、基本のＬＴＥよりも高いデータレートを可能にし、同じく３ＧＰＰの制御下で標準化される後継のＬＴＥ−Ａ（LTE  Advanced）が存在する。
【０００６】
将来的には、３ＧＰＰは、５Ｇの技術的要件を満たすことができるように、ＬＴＥ−Ａをさらに開発する計画である。
【０００７】
５Ｇシステムは、それぞれＬＴＥまたはＬＴＥ−Ａに基づくので、５Ｇ技術の特定の要件は基本的に、ＬＴＥおよびＬＴＥ−Ａ標準文書で既に定義されている特徴および方法によって扱われることが想定される。
【０００８】
５Ｇ技術は、ＮＲにも基づき得る、いわゆる「仮想セル」または「ローカルセル」などの概念を可能にする。この概念では、セルは、ユーザ機器（「ＵＥ」）、例えば、モバイル通信インターフェースを含む携帯電話、コンピュータ、タブレット、タブレットパーソナルコンピュータなど、またはモバイル通信インターフェースを有するホットスポットデバイスなど、例えば、ＬＴＥ（−Ａ）を介してモバイル通信を実行することができる任意の他のデバイスによってサービス提供される。手短に言えば、ＵＥは、仮想セルまたはローカルセルの近傍の他のＵＥとネットワークとの間の間接的なネットワーク接続を確立するための中間ノードとして、および／またはＵＥ間の中間ノードとして動的に動作する。ＵＥ上の中間ノードの機能は、「仮想化」によって実行することもできる。仮想セルまたはローカルセルは、無認可、共有認可、または認可の帯域でＵＥと通信することができ、それは、好ましくは認可帯域でネットワークにバックホールする。
【０００９】
ＬＴＥでのＩＰマルチメディアシステム（ＩＭＳ）の導入に従って、制御プレーンとユーザプレーンとの間の論理的分離が導入され、制御プレーンとユーザプレーンとの間の物理的分離が、５Ｇのための可能なソリューションとして提案されている。サービス継続性を維持するために、制御プレーンに関する要件は、例えば、頑強性および広いカバレージであるので、マクロまたはアンカー基地局は、制御プレーンのリンクを提供するものとする。一方、ユーザプレーンの主要な働きは、セル容量を改善するための効率的なスペクトル使用である。しかし、ユーザプレーンの要件は、特定のユースケースまたはＵＥ能力／カテゴリに大きく依存するので、「ネットワークスライシング」など、５Ｇの概念を考慮して、それぞれのユースケースまたはＵＥ能力／カテゴリに応じて、様々なタイプの受信／送信またはルーティング方法が考えられる。
【００１０】
５Ｇ技術の場合、仮想セル、ローカルセル、マクロセル、またはピコセルなどとして機能するＵＥまたは他のＮＲ局は、例えば、基地局、またはＬＴＥで呼ばれるｅＮｏｄｅＢ（発展型ノードＢ）（ｅＮｏｄｅＢはＬＴＥの発展型ＵＴＲＡにおける要素であり、ＵＴＲＡはＵＭＴＳ地上波無線アクセスである）で通常行われる責任を引き継ぐことができると考えられる。上述の仮想セルまたは他のＮＲ局もしくはエンティティとしてのＵＥにおいて実行されることが考えられるそのような責任は、例えば、無線リソース管理、無線リソース制御（ＲＲＣ）、接続制御などである。
【００１１】
５Ｇでは、一般に、２つの動作モード、緊密なインターワーキングモード、およびスタンドアロンモードがある。緊密なインターワーキングモードでは、５Ｇ  ＮＲ  ｅＮｏｄｅＢは、例えば、デュアル接続またはキャリアアグリゲーションを介して、ＬＴＥ  ｅＮｏｄｅＢと協働するものとする。ＬＴＥ  ｅＮｏｄｅＢは、５Ｇ  ＮＲ  ｅＮｏｄｅＢのアンカーｅＮｏｄｅＢとして働く。スタンドアロンモードでは、５Ｇ  ＮＲ  ｅＮｏｄｅＢは、ＬＴＥ  ｅＮｏｄｅＢの支援から独立して働くことができる。
【００１２】
3GPP  document  R2-162965,  “RAN  interworking  between  NR  and  LTE”,  3GPP  TSG-RAN  WG2  Meeting  #93bis,  Dubrovnik,  Croatia,  11th  -  15th  April,  2016には、５Ｇユーザおよび制御プレーンのプロトコルアーキテクチャが提示されている。このアーキテクチャでは、ＮＲ  ＲＡＮ（無線アクセスネットワーク）の制御シグナリングは、ＬＴＥデータベアラを介して転送され、これは、既存のＬＴＥ手順を最小限の変更で再利用できる。
【００１３】
3GPP  document  R2-162753,  “Tight  integration  of  the  New  Radio  interface  (NR)  and  LTE:  Control  Plane  design”,  3GPP  TSG-RAN  WG2  #93bis,  Dubrovnik,  Croatia,  11  -  15  April  2016には、例えばＬＴＥ  ｅＮｏｄｅＢおよびＮＲ  ｅＮｏｄｅＢなど２つの別々のＲＲＣエンティティがＵＥへのＲＲＣメッセージを生成することができる、デュアルＲＲＣが提案されている。制御プレーンダイバーシティは、ＰＤＣＰ（パケットデータコンバージェンスプロトコル）レベル分割および結合によって提供することができる。下位層のローカル構成も可能である。ＮＲ  ＲＡＴとＬＴＥ  ＲＡＴとの間のＲＲＭ（無線リソース管理）機能の協調が必要となり得る。
【００１４】
さらに、Ｒｅｌ−１２デュアル接続において、ＲＲＣダイバーシティが提案された。これは、ハンドオーバ性能を向上させるために提案された。3GPP  document  TR  36.842,  “3rd  Generation  Partnership  Project;  Technical  Specification  Group  Radio  Access  Network;  Study  on  Small  Cell  enhancements  for  E-UTRA  and  E-UTRAN;  Higher  layer  aspects  (Release  12)”,  with  RRC  diversityでは、ハンドオーバ関連のＲＲＣシグナリングはさらに、可能なターゲットセルから、または可能なターゲットセルへ送信され得る。この場合、ＵＥがセルのうちの少なくとも１つへの接続を維持することができる限り、無線リンク障害（ＲＬＦ）を防止することができる。
【発明の概要】
【発明が解決しようとする課題】
【００１５】
無線リソース制御ダイバーシティのためのシグナリングを提供するための技法が存在するが、一般に、既存の技法を改善することが望ましい。
【課題を解決するための手段】
【００１６】
第１の態様によれば、本開示は、少なくとも１つのユーザ機器および少なくとも別の基地局と通信するように構成された回路を備えるモバイル通信システムのための基地局を提供し、回路は、無線リソース制御ダイバーシティのために無線リソース制御メッセージを構成し、構成された無線リソース制御メッセージをユーザ機器へ送信する、または構成された無線リソース制御メッセージをユーザ機器および少なくとも別の基地局から受信するようにさらに構成される。
【００１７】
第２の態様によれば、本開示は、無線リソース制御ダイバーシティ通信のために構成された回路を備えるモバイル通信システムのためのユーザ機器を提供し、回路は、無線リソース制御ダイバーシティ通信のために構成された少なくとも２つの無線リソース制御メッセージを受信または送信するようにさらに構成される。
【００１８】
第３の態様によれば、本開示は、ユーザ機器に無線リソース制御接続を提供するためのモバイル通信システム方法を提供し、モバイル通信システムが少なくとも２つのセルを含み、第１のセルは、第１の無線アクセス技術に基づき、第２のセルは、第２の無線アクセス技術に基づき、方法は、第１の無線リソース制御メッセージを第１のセルからユーザ機器へ送信することと、第２の無線リソース制御メッセージを第２のセルからユーザ機器へ送信することと、第１の無線リソース制御メッセージおよび第２の無線リソース制御メッセージの少なくとも一方に基づいて、無線リソース制御接続を提供することとを含む。
【００１９】
さらなる態様は、従属クレーム、以下の説明、および図面に記載される。
【図面の簡単な説明】
【００２０】
実施形態は、添付の図面に関して例として説明される。
【００２１】
【図１】ＬＴＥ  ｅＮｏｄｅＢおよびＮＲ  ｅＮｏｄｅＢを有する無線アクセスネットワークの一実施形態を示す図である。
【図２】モバイル通信システム方法のフローチャートを示す図である。
【図３】さらなるモバイル通信システム方法のフローチャートを示す図である。
【図４】さらなるモバイル通信システム方法のフローチャートを示す図である。
【図５】さらなるモバイル通信システム方法のフローチャートを示す図である。
【図６】さらなるモバイル通信システム方法のフローチャートを示す図である。
【図７】さらなるモバイル通信システム方法のフローチャートを示す図である。
【図８】さらなるモバイル通信システム方法のフローチャートを示す図である。
【図９】新しい無線セルと次世代コアネットワークとの間の制御プレーンおよびユーザプレーン通信を示す図である。
【図１０】ＬＴＥとＮＲのアグリゲーションを示す図である。
【図１１】ＬＴＥセルとＮセルのコロケーションを示す図である。
【図１２】ＬＴＥセルとＮＲセルのコロケーションおよび非コロケーションを示す図である。
【図１３】ＬＴＥ−ＮＲアグリゲーションの異なる展開シナリオを示す図である。
【図１４】ＵＥがＬＴＥセル内に位置するＮＲセルを通って移動するハンドオーバを示す図である。
【図１５】さらなるモバイル通信システム方法のフローチャートを示す図である。
【図１６】ＵＥがＬＴＥセル内に位置するＮＲセルを通ってＮＲセルを有する別のＬＴＥセルへ移動するハンドオーバを示す図である。
【図１７】さらなるモバイル通信システム方法のフローチャートを示す図である。
【図１８】異なるビームを有するＮＲセルについてのハンドオーバを示す図である。
【図１９】さらなるモバイル通信システム方法のフローチャートを示す図である。
【図２０】多目的コンピュータの包含を示す図である。
【発明を実施するための形態】
【００２２】
図１を参照して実施形態の詳細な説明を行う前に、一般的な説明を行う。
【００２３】
冒頭で述べたように、一般に、例えば、ＩΜΤ−２０００（International  Mobile  Telecommunications-2000）仕様に基づく第３世代（「３Ｇ」）、ＩΜΤ−Ａｄｖａｎｃｅｄ  Ｓｔａｎｄａｒｄ（International  Mobile  Telecommunications-Advanced  Standard）で定義される能力を提供する第４世代（「４Ｇ」）、および開発中であり、２０２０年に実施される可能性がある現行の第５世代（「５Ｇ」）など、いくつかの世代のモバイル通信システムが知られている。
【００２４】
５Ｇの要件を提供する候補は、いわゆる「ＬＴＥ」（Long  Term  Evolution）であり、これは、携帯電話およびデータ端末のための高速データ通信を可能にするワイヤレス通信技術であり、４Ｇモバイル通信システムには既に使用されている。５Ｇ要件を満たす他の候補は、ＮＲ（New  Radio）アクセス技術システム（ＮＲ）と呼ばれる。ＬＴＥが以前の世代のモバイル通信技術に基づいていたように、ＮＲはＬＴＥ技術に基づき得る。
【００２５】
ＬＴＥは、第２世代（「２Ｇ」）のＧＳＭ／ＥＤＧＥ（「Global  System  for  Mobile  Communications」／ＥＧＰＲＳとも呼ばれる「Enhanced  Data  rates  for  GSM  Evolution」）、および第３世代（「３Ｇ」）ネットワーク技術のＵＭＴＳ／ＨＳＰＡ（「Universal  Mobile  Telecommunications  System」／「High  Speed  Packet  Access」）に基づく。
【００２６】
ＬＴＥは、３ＧＰＰ（「第３世代パートナーシッププロジェクト」）の制御下で標準化され、基本のＬＴＥよりも高いデータレートを可能にし、同じく３ＧＰＰの制御下で標準化される後継のＬＴＥ−Ａ（LTE  Advanced）が存在する。
【００２７】
将来的には、３ＧＰＰは、５Ｇの技術的要件を満たすことができるように、ＬＴＥ−Ａをさらに開発する計画である。
【００２８】
５Ｇシステムは、それぞれＬＴＥまたはＬＴＥ−Ａに基づくので、５Ｇ技術の特定の要件は基本的に、ＬＴＥおよびＬＴＥ−Ａ標準文書で既に定義されている特徴および方法を扱うことが想定される。
【００２９】
５Ｇ技術は、ＮＲにも基づき得る、いわゆる「仮想セル」または「ローカルセル」などの概念を可能にする。この概念では、セルは、ユーザ機器（「ＵＥ」）、例えば、モバイル通信インターフェースを含む携帯電話、コンピュータ、タブレット、タブレットパーソナルコンピュータなど、またはモバイル通信インターフェースを有するホットスポットデバイスなど、例えば、ＬＴＥ（−Ａ）を介してモバイル通信を実行することができる任意の他のデバイスによってサービス提供される。手短に言えば、ＵＥは、仮想セルまたはローカルセルの近傍の他のＵＥとネットワークとの間の間接的なネットワーク接続を確立するための中間ノードとして、および／またはＵＥ間の中間ノードとして動的に動作する。ＵＥ上の中間ノードの機能は、「仮想化」によって実行することもできる。仮想セルまたはローカルセルは、無認可、共有認可、または認可の帯域でＵＥと通信することができ、それは、好ましくは認可帯域でネットワークにバックホールする。
【００３０】
ＬＴＥでのＩＰマルチメディアシステム（ＩＭＳ）の導入に従って、制御プレーンとユーザプレーンとの間の論理的分離が導入され、制御プレーンとユーザプレーンとの間の物理的分離が、５Ｇのための可能なソリューションとして提案されている。サービス継続性を維持するために、制御プレーンに関する要件は、例えば、頑強性および広いカバレージであり得るので、マクロまたはアンカー基地局は、制御プレーンのリンクを提供するものとする。一方、ユーザプレーンの主要な働きは、セル容量を改善するための効率的なスペクトル使用である。しかし、ユーザプレーンの要件は、特定のユースケースまたはＵＥ能力／カテゴリに大きく依存しているので、「ネットワークスライシング」など、５Ｇの概念を考慮して、それぞれのユースケースまたはＵＥ能力／カテゴリに応じて、様々なタイプの受信／送信またはルーティング方法が考えられる。
【００３１】
５Ｇ技術の場合、仮想セル、ローカルセル、マクロセル、またはピコセルなどとして機能するＵＥまたは他のＮＲ局もしくはエンティティは、例えば、基地局、またはＬＴＥで呼ばれるｅＮｏｄｅＢ（発展型ノードＢ）（ｅＮｏｄｅＢはＬＴＥの発展型ＵＴＲＡにおける要素であり、ＵＴＲＡはＵＭＴＳ地上波無線アクセスである）で通常行われる責任を引き継ぐことができると考えられる。上述の仮想セルまたは他のＮＲ局もしくはエンティティとしてのＵＥにおいて実行されることが考えられるそのような責任は、例えば、無線リソース管理、無線リソース制御（ＲＲＣ）、接続制御などである。
【００３２】
５Ｇでは、一般に、本開示の実施形態においても実装され得る２つの動作モード、緊密なインターワーキングモード、およびスタンドアロンモードがある。緊密なインターワーキングモードでは、５Ｇ  ＮＲ  ｅＮｏｄｅＢは、例えば、デュアル接続またはキャリアアグリゲーションを介して、ＬＴＥ  ｅＮｏｄｅＢと協働するものとする。ＬＴＥ  ｅＮｏｄｅＢは、５Ｇ  ＮＲ  ｅＮｏｄｅＢのアンカーｅＮｏｄｅＢとして働き得る。スタンドアロンモードでは、５Ｇ  ＮＲ  ｅＮｏｄｅＢは、ＬＴＥ  ｅＮｏｄｅＢの支援から独立して働くことができる。
【００３３】
3GPP  document  R2-162965,“RAN  interworking  between  NR  and  LTE”,  3GPP  TSG-RAN  WG2  Meeting  #93bis,  Dubrovnik,  Croatia,  11th  -  15th  April,  2016には、５Ｇユーザおよび制御プレーンのプロトコルアーキテクチャが提示されている。このアーキテクチャでは、ＮＲ  ＲＡＮ（無線アクセスネットワーク）の制御シグナリングは、ＬＴＥデータベアラを介して転送され、これは、既存のＬＴＥ手順を最小限の変更で再利用できる。
【００３４】
3GPP  document  R2-162753,  “Tight  integration  of  the  New  Radio  interface  (NR)  and  LTE:  Control  Plane  design”,  3GPP  TSG-RAN  WG2  #93bis,  Dubrovnik,  Croatia,  11  -  15  April  2016には、例えばＬＴＥ  ｅＮｏｄｅＢおよびＮＲ  ｅＮｏｄｅＢなど２つの別々のＲＲＣエンティティがＵＥへのＲＲＣメッセージを生成することができる、デュアルＲＲＣが提案されている。制御プレーンダイバーシティは、ＰＤＣＰ（パケットデータコンバージェンスプロトコル）レベル分割および結合によって提供することができる。下位層のローカル構成も可能である。いくつかの実施形態では、ＮＲ  ＲＡＴとＬＴＥ  ＲＡＴとの間のＲＲＭ（無線リソース管理）機能の協調が必要となり得る。
【００３５】
さらに、Ｒｅｌ−１２デュアル接続において、ＲＲＣダイバーシティが提案された。これは、ハンドオーバ性能を向上させるために提案された。3GPP  document  TR  36.842,  “3rd  Generation  Partnership  Project;  Technical  Specification  Group  Radio  Access  Network;  Study  on  Small  Cell  enhancements  for  E-UTRA  and  E-UTRAN;  Higher  layer  aspects  (Release12)”,  with  RRC  diversityでは、ハンドオーバ関連のＲＲＣシグナリングはさらに、可能なターゲットセルから、または可能なターゲットセルへ送信され得る。この場合、ＵＥがセルのうちの少なくとも１つへの接続を維持することができる限り、無線リンク障害（ＲＬＦ）を防止することができる。
【００３６】
従って、いくつかの実施形態は、以下でも論じられるように、基地局、ユーザ機器、およびモバイル通信システム方法に関する。基地局およびユーザ機器は各々、方法を実行するように構成された回路を有し、モバイル通信システム方法は、ユーザ機器および基地局の回路によって実行される方法を含み得る。
【００３７】
モバイル通信システムのための基地局は、少なくとも１つのユーザ機器および少なくとも別の基地局と通信するように構成された回路を有し、回路は、無線リソース制御ダイバーシティのために無線リソース制御メッセージを構成し、構成された無線リソース制御メッセージをユーザ機器へ送信する、および／または構成された無線リソース制御メッセージをユーザ機器および少なくとも別の基地局から受信するようにさらに構成される。当然、構成された無線リソース制御メッセージの送信は、ユーザ機器および／または少なくとも別の基地局への２つ以上の無線リソース制御メッセージの送信をも含み得る。さらに、ダイバーシティのための無線リソース制御メッセージは同じでもよく、または互いに異なっていてもよい。例えば、第１の無線リソース制御メッセージは、互いに関連付けられているが、第２のリソース制御メッセージと異なっていてもよい。基地局およびユーザ機器の回路はそれぞれ、本明細書に記載の方法を実行するために必要なハードウェア構成要素を含み得る。
【００３８】
基地局は、上記でも説明したように、ＬＴＥ（ＬＴＥ−Ａ）の原理に基づいてもよく、および／またはＮＲ  ＲＡＴに基づいてもよい。基地局は、一例として、ＬＴＥの既知のｅＮｏｄｅＢに基づいてもよく、または論じられたＮＲ  ｅＮｏｄｅＢに基づいてもよい。ユーザ機器は、例えば、モバイル通信インターフェースを含む携帯電話、スマートフォン、コンピュータ、タブレット、タブレットパーソナルコンピュータなど、またはモバイル通信インターフェースを有するホットスポットデバイスなど、例えばＬＴＥまたはＮＲを介して、モバイル通信を実行することができる任意の他のデバイスとすることができる。
【００３９】
少なくとも別の基地局もまた、上記でも説明したように、ＬＴＥ（ＬＴＥ−Ａ）の原理に基づいてもよく、および／またはＮＲ  ＲＡＴに基づいてもよい。
【００４０】
いくつかの実施形態では、基地局および少なくとも別の基地局は、異なるＲＡＴに基づいてもよく、例えば、基地局は、ＬＴＥ  ｅＮｏｄｅＢなど、ＬＴＥ基地局であり、少なくとも１つの別の基地局は、ＮＲ  ｅＮｏｄｅＢであってもよく、またはその逆、すなわち、基地局は、ＮＲ  ｅＮｏｄｅＢなど、ＮＲ基地局であり、少なくとも別の基地局は、ＬＴＥ  ｅＮｏｄｅＢであってもよい。
【００４１】
以下でも説明されるように、基地局および少なくとも別の基地局は、ＲＲＣダイバーシティ通信のために構成され得る。
【００４２】
無線リソース制御メッセージは、ハンドオーバ（例えば、RRCConnectionReconfiguration、測定報告など）、無線リソース制御確立（例えば、RRCConnectionSetup、RRCConnectionSetupCompleteなど）、無線リソース制御再確立（例えば、RRCConnnectionReestablishmentRequest、RRCConnectionReestablishmentなど）、無線リソース制御接続中断、および無線リソース制御接続再開のうちの少なくとも１つと関連付けることができる。
【００４３】
回路は、無線リソース制御ダイバーシティをオン／オフにする、または、例えば、ＲＲＣダイバーシティが、特定のＲＲＣメッセージ（ハンドオーバコマンド、RRCConnectionSetupなど）についてのみオンにされるように、例えば、構成された無線リソース制御メッセージに基づいて、特定の無線リソース制御メッセージについて、無線リソース制御ダイバーシティをオン／オフにするようにさらに構成されてもよい。
【００４４】
回路は、例えば、ＲＲＣダイバーシティが、ＲＲＣ接続確立手順またはＲＲＣ接続中断／再開手順についてのみオンにされるように、例えば、無線リソース制御メッセージの機能に基づいて、無線リソース制御ダイバーシティをオン／オフにするようにさらに構成されてもよい。
【００４５】
回路は、構成された無線リソース制御メッセージが送信されるユーザ機器に基づいて、無線リソース制御ダイバーシティをオン／オフにするようにさらに構成されてもよい。例えば、ＵＥは、サービング基地局の境界に位置している場合などに、ＲＲＣ接続を確立したい場合、ＲＲＣダイバーシティをオンにすることができる。
【００４６】
回路は、ＵＥが、一般的に、または特定の無線リソース制御メッセージについて、ＲＲＣダイバーシティをオン／オフにするように、無線リソース制御ダイバーシティをオン／オフにするための、または、特定の無線リソース制御メッセージについて、無線リソース制御ダイバーシティをオン／オフにするための指示メッセージをユーザ機器に送信するようにさらに構成され得る。
【００４７】
従って、より一般的には、例えば、特定の無線リソース制御メッセージについて、無線リソース制御ダイバーシティが使用され、他の場合には使用されないように、無線リソース制御ダイバーシティは、特定の無線リソース制御メッセージについてオン／オフされてもよい。
【００４８】
無線リソース制御ダイバーシティは、アップリンク基準信号測定に基づいて開始されてもよく、ここで、無線リソース制御ダイバーシティは、ダウンリンク通信またはアップリンク通信について実行されてもよい。回路は、例えば、アップリンク基準信号測定を実行するためなど、フィードバック信号およびアップリンク基準信号のうちの少なくとも１つを送信するためにユーザ機器を構成するようにさらに構成され得る。回路は、受信されたフィードバック信号およびアップリンク基準信号のうちの少なくとも１つに基づいて、無線リソース制御構成を定義するようにさらに構成され得る。
【００４９】
無線リソース制御ダイバーシティは、ダウンリンク基準信号測定に基づいて開始されてもよく、ここで、無線リソース制御ダイバーシティは、アップリンク通信またはダウンリンク通信について実行される。
【００５０】
回路は、ダウンリンク無線リソース制御ダイバーシティセットおよびアップリンク無線リソース制御ダイバーシティセットのうちの少なくとも１つを決定するようにさらに構成され得る。ダウンリンク／アップリンクＲＲＣダイバーシティセットは、例えば、ＵＥとのＲＲＣダイバーシティ通信に関与する基地局（例えば、ＬＴＥおよびＮＲ  ｅＮｏｄｅＢ）に対する指示を含み得る。
【００５１】
回路は、ダウンリンク品質に基づいてダウンリンク無線リソース制御ダイバーシティセットを決定する、またはアップリンク品質に基づいてアップリンク無線リソース制御ダイバーシティセットを決定するようにさらに構成され得る。従って、ＲＲＣダイバーシティセットは、最良のリンク品質を有する基地局を含み得る。
【００５２】
構成された無線リソース制御メッセージは、元の無線リソース制御メッセージ生成器識別子および追加の無線リソース制御送信機識別子のうちの少なくとも１つを含み得る。元のＲＲＣメッセージ生成器識別子は、どの基地局が最初にＲＲＣメッセージを生成したかを識別することができる。追加のＲＲＣ送信機識別子は、どの追加の基地局が構成されたＲＲＣメッセージを送信するかを示すことができる。
【００５３】
回路は、構成された無線リソース制御メッセージを反復送信するようにさらに構成され得る。これはタイマーに基づいて実施することができる。構成された無線リソース制御メッセージの反復送信は、例えば、無線リソース制御メッセージなど、所定のメッセージの受信に応答して設定されてもよい。従って、ＵＥからＲＲＣメッセージを受信すると、基地局は、ＲＲＣダイバーシティメッセージの反復送信のタイマーを開始することができ、他の実施形態では、タイマーは、ユーザ機器に実装され、タイマーは、ＲＲＣメッセージを送信および／または受信すると、開始される。
【００５４】
例えば、終了したハンドオーバ手順、または終了した、および／またはＵＥからその時点でさらなるＲＲＣメッセージが必要ではないことを示す任意の他の手順または挙動である所定のイベントに応答して、反復送信が終了されてもよい。
【００５５】
反復送信は、所定の時間期間後に終了され得る。例えば、タイマーは、所定の時間期間の間のみ動作してもよく、所定の時間期間が終了した後、プロセスが終了する。
【００５６】
反復送信は、受信された無線リソース制御メッセージに応答して開始されてもよく、反復送信は、別の受信された無線リソース制御メッセージに応答して終了されてもよい。例えば、ＵＥは、第１のＲＲＣメッセージを送信し、反復送信が開始され、しばらくして、ＵＥは、第２のＲＲＣメッセージを送信し、反復送信が終了する。
【００５７】
いくつかの実施形態では、構成された無線リソース制御メッセージの送信後にタイマーが開始される。タイマーは、基地局および／またはＵＥに実装されてもよい。タイマーは、所定の時間期間後に満了し得る。満了の後、所定の動作が実行されてもよく、例えば、ＵＥは、ＲＲＣ＿ＩＤＬＥ状態などに入る。タイマーは、（例えば、ユーザ機器および／または少なくとも別の基地局から）受信されたＲＲＣメッセージに応答して停止され得る。
【００５８】
基地局がユーザ機器にサービスを提供しない場合、回路は、そのユーザ機器にサービスを提供する別の基地局に、受信された無線リソース制御メッセージを送信するようにさらに構成され得る。従って、それによって、サービング基地局が、ＵＥから送信されたそれぞれのＲＲＣメッセージを受信することが確実にされ得る。
【００５９】
回路は、基地局がユーザ機器にサービスを提供しない場合、ユーザ機器から受信された無線リソース制御メッセージに応答して、ユーザ機器にサービスを提供する別の基地局に、肯定応答メッセージを送信するようにさらに構成され得る。それによって、ユーザ機器が構成されたＲＲＣメッセージを受信したことをサービング基地局に通知することが確実にされ得る。
【００６０】
回路は、別の基地局から構成された無線リソース制御メッセージを受信し、共通の無線リソース制御メッセージを送信するようにさらに構成されてもよい。従って、いくつかの実施形態では、構成されたＲＲＣメッセージは、１つの基地局によってのみ送信され、構成されたＲＲＣメッセージは、受信された構成された無線リソース制御メッセージに含まれる情報を含む。
【００６１】
共通の無線リソース制御メッセージは、以下の条件、すなわち、リンク品質、カバレージ、ユーザ機器のモビリティ状態のうちの少なくとも１つに基づいて送信され得る。従って、例えば、リンク品質が悪い場合、カバレージが小さい場合、またはユーザ機器のモビリティ状態が基地局にとって高い場合、リンク品質がより良い、カバレージがより大きい、および／またはＵＥのモビリティ状態がよりよく適合する基地局によって、共通の制御メッセージが送信される。他の実施形態では、共通のＲＲＣメッセージは、同様のリンク品質、カバレージ、および／またはモビリティ状態を有するすべての基地局によって送信され得る。
【００６２】
上述のように、いくつかの実施形態は、無線リソース制御ダイバーシティ通信のために構成された回路を備えるモバイル通信システムのためのユーザ機器に関し、回路は、無線リソース制御ダイバーシティ通信のために構成された少なくとも２つの無線リソース制御メッセージを受信、および／または送信するようにさらに構成される。ＲＲＣメッセージは、上述のように、基地局および少なくとも別の基地局によって送信されてもよく、またはＲＲＣメッセージは、基地局および少なくとも別の基地局に送信されてもよい。回路は、上述したように、基地局から受信された指示メッセージに基づいて、無線リソース制御ダイバーシティ通信をオン／オフにするようにさらに構成されてもよい。回路は、例えば、ＲＲＣ確立が実行される場合に、ＲＲＣダイバーシティ通信がオンにされるなど、無線リソース制御の確立に基づいて、無線リソース制御ダイバーシティ通信をオン／オフにするようにさらに構成され得る。回路は、ユーザ機器がセル境界に位置している場合、無線リソース制御ダイバーシティ通信をオン／オフにするようにさらに構成され得る。従って、たとえば、ＵＥがセル境界（カバレージ境界）などにあることが検出された場合、ＲＲＣダイバーシティがオンにされ得る。回路は、無線リンク障害が検出された場合、無線リソース制御ダイバーシティ通信をオン／オフにするようにさらに構成されてもよい。回路は、基地局から受信された無線リソース制御ダイバーシティセットに基づいて、少なくとも２つの無線リソース制御メッセージを受信するようにさらに構成され得る。上述のように、ＲＲＣダイバーシティは、構成されたＲＲＣメッセージを送信する基地局のリストを含み得る。回路は、ターゲット無線リソース制御受信機識別子および追加の無線リソース制御受信機識別子のうちの少なくとも１つを含む無線リソース制御メッセージを送信するようにさらに構成され得る。ターゲットＲＲＣ受信機識別子は、ＵＥからメッセージを受信することになる基地局を示し、追加のＲＲＣ受信機識別子は、どの追加の基地局がメッセージを受信することになるかを示し得る。回路は、上記でも説明したように、無線リソース制御メッセージの受信に応答して肯定応答メッセージを送信するようにさらに構成され得る。肯定応答メッセージは、受信された無線リソース制御メッセージのタイプに関する指示、および受信された無線リソース制御メッセージの出所に関する指示のうちの少なくとも１つを含み得る。
【００６３】
いくつかの実施形態では、使用されるＲＲＣダイバーシティは、頑強性、柔軟性、およびスケーラビリティを提供する。説明したように、いくつかの実施形態では、ＲＲＣダイバーシティは、ハンドオーバコマンド以外の他の専用シグナリングで実施される。
【００６４】
図１に戻ると、ＬＴＥ  ｅＮｏｄｅＢ３によって確立されたマクロセル２と、ＮＲ  ｅＮｏｄｅＢ５によって確立されたピコセル４とを有するＲＡＮ１が示されている。
【００６５】
ＵＥ６は、ＬＴＥ  ｅＮｏｄｅＢ３と通信することができ、ピコセル４内にある限り、ＮＲ  ｅＮｏｄｅ  Ｂ５と通信することもできる。ピコセル４によってもカバーされる遷移領域７において、ＵＥ６は、例えば、ピコセル４のカバレージを離れる場合、ＬＴＥ  ｅＮｏｄｅＢ３へのハンドオーバを実行し得る。一方、ピコセル４のカバレージ内に移動する場合、ＵＥ６は、ＮＲ  ｅＮｏｄｅＢ５へのハンドオーバを実行し得る。
【００６６】
上述のように、いくつかの実施形態では、ハンドオーバ中だけでなく、一般にＲＲＣ通信中にも、例えば、ＲＲＣメッセージがＬＴＥ  ｅＮｏｄｅＢ３とＮＲ  ｅＮｏｄｅＢ５の両方からＵＥ６に送信されるように、および／または、ＲＲＣメッセージがＵＥ６からＬＴＥ  ｅＮｏｄｅＢ３とＮＲ  ｅＮｏｄｅＢ５の両方に送信されるように、ＲＲＣダイバーシティが使用され得る。
【００６７】
以下では、ＲＲＣダイバーシティメッセージに関連し、図１のＬＴＥ  ｅＮｏｄｅＢ３、ＮＲ  ｅＮｏｄｅＢ５、およびＵＥ６によって実行することができるモバイル通信方法２０の一実施形態について、図２を参照しながら説明する。
【００６８】
理論的には、ＲＲＣダイバーシティは、すべてのＲＲＣメッセージに適用できる。しかし、いくつかの実施形態では、不必要なＲＲＣダイバーシティ動作は、無線リソースの浪費を招き、ｅＮｏｄｅＢ‐ｅＮｏｄｅＢおよび無線インターフェースに負担を負わせる。
【００６９】
従って、ＬＴＥ  ｅＮｏｄｅＢ３および／またはＮＲ  ｅＮｏｄｅＢ５によって実行され得る図２の方法２０は、２１で、以下のうちの少なくとも１つであり得るＲＲＣメッセージを、ＲＲＣダイバーシティのために構成することを含む。
１．RRCConnectionReconfiguration、測定報告などのハンドオーバ関連メッセージ。
２．RRCConnectionSetup、RRCConnectionSetupCompleteなどのＲＲＣ接続確立メッセージ。
３．RRCConnectionReestablishmentRequest、RRCConnectionReestablishmentなどのＲＲＣ接続再確立メッセージ。
４．ＲＲＣ接続中断／再開メッセージ。
【００７０】
２２で、それぞれの構成されたメッセージがＵＥ６に送信される。
【００７１】
２３で、２４で単一のＲＲＣまたは他の指示メッセージをＵＥ６に送信することによって、ＲＲＣダイバーシティがオン／オフにされ得る。ＲＲＣダイバーシティのオン／オフは、ＲＲＣメッセージ固有であり得る。たとえば、ＲＲＣダイバーシティのオン／オフは、ハンドオーバコマンドにのみ適用可能であり得る、または、ＬＴＥ  ｅＮｏｄｅＢ３および／またはＮＲ  ｅＮｏｄｅＢ５が、送信されるように構成されたＲＲＣメッセージに基づいて、ＲＲＣダイバーシティがオンにされるかオフにされるかを決定するように、例えば、ＲＲＣ接続確立メッセージグループベースなど、ＲＲＣメッセージグループベースであり得る。
【００７２】
２５で、ＲＲＣダイバーシティのオン／オフは、ＵＥ固有である。例えば、ＲＲＣ接続を確立したいＵＥ６のみがＲＲＣダイバーシティをオンにする。別の例では、オン／オフは、例えば、制御ノード境界に位置するＵＥグループのみなど、ＵＥグループ固有であり、例えば、遷移／境界領域７内のＵＥ６がＲＲＣダイバーシティをオンにする。また、２５でのＲＲＣダイバーシティのオン／オフは、特定のデータノード／制御ノードの範囲内にあるすべてのＵＥ（例えば、ＮＲ  ｅＮｏｄｅ  Ｂ５によってサービス提供される）がＲＲＣダイバーシティをオンにするという意味でもＵＥ固有であり得る。また、２５でのＲＲＣダイバーシティのオン／オフは、ＲＬＦ（無線リンク障害）を経験しているすべてのＵＥがＲＲＣダイバーシティを自動的にオンにするという意味でも、ＵＥ固有であり得る。
【００７３】
以下では、ＲＲＣダイバーシティのトリガに関連し、図１のＬＴＥ  ｅＮｏｄｅＢ３、ＮＲ  ｅＮｏｄｅＢ５、およびＵＥ６によって実行することができるモバイル通信方法３０の一実施形態について、図３を参照しながら説明する。方法３０は、方法２０と組み合わせることができる。
【００７４】
３１で、アップリンク基準信号測定に基づいて、ダウンリンクＲＲＣ接続のためにＲＲＣダイバーシティが開始される。
【００７５】
アップリンク基準信号測定は、以下を含み得る。
１）３２で、特に、例えば、ＵＥ６がＬＴＥ  ｅＮｏｄｅＢ３およびＮＲ  ｅＮｏｄｅＢ５のサービスエリア内にある、図１の領域７内など、ＵＥが２つの制御ユニットの境界に移動する場合、例えばＬＴＥ  ｅＮｏｄｅＢ３もしくＮＲ  ｅＮｏｄｅＢ５、または任意の他のノードなどの制御ユニットは、例えばＵＥ６などＵＥのＵＬ基準信号構成を、例えばｅＮｏｄｅＢ３または５のうちの１つなどそのデータユニット、および近隣の制御ユニット（例えば、近隣のＬＴＥまたはＮＲセルの他のｅＮｏｄｅＢ）に通知する。ＵＬ基準信号構成は、事前構成することができ、または要求に応じて構成されてもよい。
２）３３で、例えば図１のｅＮｏｄｅＢ３および５などのサービングデータユニットおよび近隣のデータユニット、および／または制御ユニットは、ＵＥ６からのＵＬ基準信号を測定する。
３）３４で、例えばＮＲ  ｅＮｏｄｅＢ５などのサービングデータユニットは、ＵＥ６などあるＵＥの無線リンクの劣化を検出した場合、例えばＵＥ６など、このＵＥのＬＴＥ  ｅＮｏｄｅＢ３など、近隣のデータユニットに測定報告を要求する。
４）３５で、例えばＮＲ  ｅＮｏｄｅＢ５などのサービングデータユニットは、例えばＬＴＥ  ｅＮｏｄｅＢ３など、例えば最良の近隣データユニットをＲＲＣダイバーシティセットとして選択し、３６で、例えばＵＥ６などのＵＥに、ＲＲＣダイバーシティセット、およびおそらくＲＲＣダイバーシティにより送信されるべきＲＲＣメッセージについて通知する。ＵＥがＲＲＣダイバーシティによりアップリンクＲＲＣメッセージを送信したい場合、ＵＥは、３７で、例えばＮＲ  ｅＮｏｄｅＢ５などサービングユニット（基地局）にもそれを通知する。
【００７６】
従って、ＵＬ基準信号測定は、ダウンリンクＲＲＣ接続のためにＲＲＣダイバーシティを開始するのに適している。他の実施形態では、アップリンクＲＲＣ接続を開始するためにＵＬ基準信号測定が使用される。
【００７７】
３８で、ダウンリンク基準信号測定に基づいて、アップリンクＲＲＣ接続のためにＲＲＣダイバーシティが開始される。
【００７８】
ダウンリンク基準信号測定は、以下を含み得る。
１）例えばＵＥ６などのＵＥは、サービングデータユニットおよび／または制御ユニットによって構成されている、例えばＮＲ  ｅＮｏｄｅＢ５などのサービングデータユニット、ならびにＬＴＥ  ｅＮｏｄｅＢ３などの近隣データユニットのダウンリンク基準信号を３９で測定する。
２）ダウンリンク無線リンクが劣化すると、例えばＵＥ６などのＵＥは、ハンドオーバトリガと同様に、４０で、そのサービングデータユニットまたは制御ユニット（例えば、ＬＴＥ  ｅＮｏｄｅＢ３および／またはＮＲ  ｅＮｏｄｅＢ５）に測定報告を送信する。
３）測定報告に従って、サービングデータユニットまたは制御ユニット（例えば、ＬＴＥ  ｅＮｏｄｅＢ３および／またはＮＲ  ｅＮｏｄｅＢ５）は、４１で、最良の無線品質を有する近隣データユニットをＲＲＣダイバーシティセットとして選択し、４２で、ＲＲＣダイバーシティセット、およびおそらくＲＲＣダイバーシティにより送信されるべきＲＲＣメッセージをＵＥに通知する。ＵＥがＲＲＣダイバーシティによりアップリンクＲＲＣメッセージを送信したい場合、ＵＥは、４３で、サービングユニット（例えば、基地局３または５）にもそれを通知する。
【００７９】
従って、ＤＬ基準信号測定は、アップリンクＲＲＣ接続のためにＲＲＣダイバーシティを開始するのに適している。他の実施形態では、ダウンリンクＲＲＣ接続を開始するためにＤＬ基準信号測定が使用される。
【００８０】
従って、いくつかの実施形態では、例えばｅＮｏｄｅＢなどのネットワークは、アップリンク基準信号の品質に基づいて、ＲＲＣアップリンクダイバーシティが使用されるかどうかを決定してもよく、ここで、（例えば、ダウンリンク基準信号測定が利用可能であるが）アップリンク基準信号測定によって品質が決定される。同様に、例えばｅＮｏｄｅＢなどのネットワークは、ダウンリンク基準信号の品質に基づいて、ＲＲＣダウンリンクが使用されるかどうかを決定してもよく、ここで、（例えば、アップリンク基準信号のアップリンク測定結果が利用可能であり得るが）ダウンリンク基準信号測定によって品質が決定される。
【００８１】
当然、３１から３７および３８から４３は、互いに独立して実行することができ、いくつかの実施形態では、方法は、３１から３７または３８から４３のみを含む。
【００８２】
以下では、ＲＲＣダイバーシティセットの選択に関し、図１のＬＴＥ  ｅＮｏｄｅＢ３、ＮＲ  ｅＮｏｄｅＢ５、およびＵＥ６によって実行することができるモバイル通信方法４５の一実施形態について、図４を参照しながら説明する。方法４５は、方法２０および／または方法３０と組み合わせることができる。
【００８３】
４６で、ＤＬおよびＵＬのＲＲＣダイバーシティセットは、それぞれＤＬおよびＵＬのリンク品質に従って、別々に指定することができる。
【００８４】
ＤＬの場合、決定は、上述したように、測定報告を受信する、例えばＬＴＥ  ｅＮｏｄｅＢ３またはＮＲ  ｅＮｏｄｅＢ５などのエンティティによって行うことができ、このエンティティは、４７で、例えば、より高いリンク品質を有するエンティティを、ＲＲＣダイバーシティセットとして選択する。
【００８５】
ＵＬの場合、ＲＲＣダイバーシティセットは、４８で、ＤＬ規則に従う、または、より高いＵＬ品質を有するＵＬ基準信号測定に従うことができる。それがＵＬ測定結果に従う場合、必要な場合、例えば、ＲＲＣダイバーシティセットに含まれるｅＮｏｄｅＢ３および５など、エンティティ間でＵＬ測定結果を交換することをトリガする「中央ノード」が提供されてもよい。そのとき、中央ノードは、ＲＲＣダイバーシティセットの決定を行う。
【００８６】
以下では、ＲＲＣダイバーシティ手順に関し、図１のＬＴＥ  ｅＮｏｄｅＢ３、ＮＲ  ｅＮｏｄｅＢ５、およびＵＥ６によって実行することができるモバイル通信方法５０の一実施形態について、図５を参照しながら説明する。方法５０は、方法２０および／または方法３０および／または方法４５と組み合わせることができる。
【００８７】
本明細書に記載のＲＲＣメッセージは、以下に論じるように、識別子を含み得る。
【００８８】
ＲＲＣダイバーシティのための各ダウンリンクＲＲＣメッセージは、上記でも説明したように、少なくとも元のＲＲＣ生成器識別子および追加のＲＲＣ送信機識別子を含み得る。
【００８９】
ＲＲＣダイバーシティのための各アップリンクＲＲＣメッセージは、上述のように、少なくともターゲット（またはＵＥの観点から、サービングエンティティ）ＲＲＣ受信機識別子、および追加のＲＲＣ受信機識別子を含み得る。
【００９０】
時間制約付きでＲＲＣメッセージを送信するためのダウンリンクＲＲＣダイバーシティでは、５１で、例えばＬＴＥ  ｅＮｏｄｅＢ３、および／またはＮＲ  ｅＮｏｄｅＢ５など、ＲＲＣダイバーシティセット内の任意のエンティティから、例えばRRCConnectionReconfigurationなど、あるＲＲＣメッセージを受信した後、５２で、タイマーが起動される。
【００９１】
例えば、ハンドオーバ手順が終了した場合など、予想される挙動が実行された場合、５３で、タイマーが停止する。そうでなければ、その実装に従って、または事前構成に従って、タイマーが、所定の時間期間後に満了した後、例えばＵＥ６などのＵＥは、５４で、例えば、ＲＲＣダイバーシティによるRRCConnectionReestablishmentRequestなどのＲＲＣメッセージ送信を開始するための次の動作を開始する。
【００９２】
時間制約付きでＲＲＣメッセージを送信するためのアップリンクＲＲＣダイバーシティの場合、５５で、ＵＥがＲＲＣダイバーシティセット内のすべてのエンティティにＲＲＣメッセージを送信した後、５６で、タイマーが起動される。
【００９３】
５７でＲＲＣダイバーシティセット内の任意のエンティティからフォローアップＲＲＣメッセージが受信された場合、５８で、タイマーは停止する。そうでなければ、タイマーは、それに応じて、所定の時間期間後に満了する。
【００９４】
別の実施形態では、ＵＥから送信された最初のメッセージについて、ＲＲＣダイバーシティがトリガされないとしても、フォローアップＲＲＣメッセージがサービングエンティティ以外のＲＲＣダイバーシティセット内のエンティティから受信された場合、タイマーは５８で停止する。
【００９５】
当然、５１から５４および５５から５８は、互いに独立して実行することができ、いくつかの実施形態では、方法は、５１から５４または５５から５８のみを含む。
【００９６】
以下では、ＲＲＣメッセージ生成に関し、図１のＬＴＥ  ｅＮｏｄｅＢ３、ＮＲ  ｅＮｏｄｅＢ５、およびＵＥ６によって実行することができるモバイル通信方法６０の一実施形態について、図６を参照しながら説明する。方法６０は、方法２０および／または方法３０および／または方法４５および／または方法５０と組み合わせることができる。
【００９７】
アップリンクＲＲＣダイバーシティメッセージでは、それが、６１で、RRCConnectionRequestなどのＲＲＣメッセージを受信するための、例えばＬＴＥ  ｅＮｏｄｅＢ３／ＮＲ  ｅＮｏｄｅＢ５など追加のデータユニット／制御ユニットである場合、このＲＲＣメッセージは、６２で、このＲＲＣメッセージを処理するために、サービングデータユニット／制御ユニット（例えばｅＮｏｄｅＢ３または５など、サービング基地局）に返信される。フォローアップメッセージがＲＲＣダイバーシティで送信されるかどうかは、実装および／または事前構成に依存する。
【００９８】
別の実施形態では、あるいは代わりに／加えて、例えば、６３でＲＲＣダイバーシティセット内のエンティティによって受信された、ハンドオーバをトリガするための測定報告メッセージなど、あるＲＲＣメッセージについて、６４で、各エンティティは、別々のＲＲＣメッセージを生成し、６５で生成されたＲＲＣメッセージをＵＥに送信する。
【００９９】
以下では、ＲＲＣダイバーシティのための肯定応答ＲＲＣメッセージに関し、図１のＬＴＥ  ｅＮｏｄｅＢ３、ＮＲ  ｅＮｏｄｅＢ５、およびＵＥ６によって実行することができるモバイル通信方法７０の一実施形態について、図７を参照しながら説明する。方法７０は、方法２０および／または方法３０および／または方法４５および／または方法５０および／または方法６０と組み合わせることができる。
【０１００】
ダウンリンクＲＲＣダイバーシティメッセージでは、例えばＵＥ６などのＵＥは、７２で、それが正常に受信したＲＲＣメッセージのタイプを含む、および７１で、それがどのエンティティから受信されたかを含むフィードバック（肯定応答）メッセージを、サービングエンティティ（例えば、ｅＮｏｄｅＢ３または５など、サービング基地局）に送信する。
【０１０１】
このフィードバックメッセージに基づいて、例えばｅＮｏｄｅＢ３または５などのサービングエンティティは、７３で、必要な場合、ダイバーシティセットを調整または決定する。
【０１０２】
代替として、または加えて、ＵＥ６は、７４で、フィードバックまたはＡＣＫ（肯定応答）メッセージを、７１でＲＲＣメッセージを正常に受信した各エンティティに別々に送信する。次いで、追加のエンティティは、必要な場合、７５で、そのようなＡＣＫメッセージをサービングエンティティ（例えば、サービングｅＮｏｄｅＢ）に送信する。
【０１０３】
アップリンクＲＲＣダイバーシティメッセージでは、追加のエンティティは、７６でＵＥから送信されたメッセージを７７で正常に受信した場合、７８で、サービングエンティティ（例えば、サービングｅＮｏｄｅＢ）にＡＣＫメッセージを送信する。この指示に基づいて、７９で、サービングエンティティは、この追加のエンティティを介してフォローアップメッセージを送信し得る。
【０１０４】
当然、７１から７５および７６から７９は、互いに独立して実行することができ、いくつかの実施形態では、方法は、７１から７５または７６から７９のみを含む。
【０１０５】
以下では、シングルＲＲＣからＲＲＣダイバーシティ（またはデュアルＲＲＣ）への切替えに関し、図１のＬＴＥ  ｅＮｏｄｅＢ３、ＮＲ  ｅＮｏｄｅＢ５、およびＵＥ６によって実行することができるモバイル通信方法８０の一実施形態について、図８を参照しながら説明する。方法８０は、方法２０および／または方法３０および／または方法４５および／または方法５０および／または方法６０および／または方法７０と組み合わせることができる。
【０１０６】
最初に、シングルＲＲＣからデュアルＲＲＣへの切替えについて説明する。
【０１０７】
８１で、例えば、緊密なインターワーキングモードの場合、デュアルＲＲＣモードが自動的にオンにされ、例えば、ＬＴＥ  ｅＮｏｄｅＢ３とＮＲ  ｅＮｏｄｅＢ５の両方がＲＲＣメッセージを送信／受信する
【０１０８】
以下では、例えば、それぞれ、ＬＴＥおよびＮＢ  ｅＮｏｄｅＢ３および５など、各エンティティによって生成されるＲＲＣメッセージが、単一のエンティティまたは両方を介して送信される場合について論じる。
【０１０９】
最初に、ＲＲＣメッセージが、例えばＬＴＥ  ｅＮｏｄｅＢ３など単一のエンティティで送信されるシナリオについて論じる。
【０１１０】
例えばＮＲ  ｅＮｏｄｅＢ５など、ＬＴＥ  ｅＮｏｄｅＢ３以外の別のＲＲＣエンティティから生成されたＲＲＣメッセージを送信するために、８１で、例えばＮＲ  ＲＲＣメッセージなど、他のＲＲＣエンティティからのＲＲＣメッセージが、ＬＴＥ  ｅＮｏｄｅＢ３によって送信される。いくつかの実施形態では、８１で、それ自体のＲＲＣメッセージ（例えば、ＬＴＥ  ＲＲＣメッセージ）、および、例えばＮＲ  ＲＲＣメッセージなど他のＲＲＣメッセージが共通のＲＲＣメッセージとして送信される。
【０１１１】
さらに、ＲＲＣメッセージが単一のエンティティによって送信される場合、８２で、ＲＲＣメッセージを送信するエンティティを切り替えることができる。
【０１１２】
切替え条件は、以下のうちの少なくとも１つとすることができる。
１）切替えは、リンク品質に基づいてもよい。例えば、ＲＲＣメッセージは、特に、ＵＥがあるエンティティに関して悪い無線リンク品質を経験しているとき、良好なリンク品質を有する無線リンクによって送信される。
２）切替えは、エンティティのより良い／より広いカバレージに基づいてもよい。例えば、ＲＲＣメッセージは、特に、エンティティが、例えば狭いビームカバレージなど、狭いカバレージを有するとき、より広いカバレージを有するエンティティによって送信される。
３）切替えは、ＵＥモビリティ状態に基づいてもよい。例えば、高いモビリティ（例えば、高速）で移動しているＵＥの場合、ＲＲＣメッセージは、例えば、より広いカバレージを有するエンティティ、より良いリンク品質を有するエンティティ、例えばリレーなど、エンティティと一緒に移動するエンティティなど、「安定した」エンティティによって送信されることが好ましい。
【０１１３】
第２に、ＲＲＣメッセージが、例えば、ＬＴＥ  ｅＮｏｄｅＢ３およびＮＲ  ｅＮｏｄｅＢ５など、両方のエンティティで送信されるシナリオについて論じる。
【０１１４】
同じく、ここで、８１での両方のエンティティを介したＲＲＣメッセージの送信は、それ自体から、および他のエンティティから生成されたＲＲＣメッセージを送信することを含む。８３でデュアルモードに切り替えるための条件は、以下のうちの少なくとも１つを含む。
１）デュアルＲＲＣダイバーシティモードへの切替えは、例えば、両方のエンティティがＵＥに関して良好なリンク品質を有する場合、リンク品質に基づいてもよい。
２）デュアルＲＲＣダイバーシティモードへの切替えは、例えば、両方のエンティティが良好な／安定したカバレージを有する場合、エンティティのカバレージに基づいてもよい。
【０１１５】
シングルＲＲＣからＲＲＣダイバーシティへの切替えについては、既に論じられており、ＲＲＣダイバーシティをオンにするためのいくつかのトリガについて言及されている。ＲＲＣダイバーシティトリガが満たされない場合、方法／システムは、可能であれば、シングルＲＲＣモードまたはデュアルＲＲＣモードにフォールバックする。
【０１１６】
いくつかの実施形態では、上述の切替え基準および／またはＲＲＣダイバーシティ基準のトリガは、以下の切替えシナリオのうちの少なくとも１つに適用される。
１．シングルＲＲＣから他のシングルＲＲＣに切り替える。
２．（異なるＲＲＣメッセージを有する）デュアルＲＲＣからシングルＲＲＣに、およびその逆に切り替える。
３．（同じＲＲＣメッセージを有する）ＲＲＣダイバーシティからシングルＲＲＣに、およびその逆に切り替える。
【０１１７】
本開示の別の態様は、ＲＲＣダイバーシティで対処することができる様々なハンドオーバケースに関する。例えば、3GPP  document  R2-132469,  “Performance  of  Control  Plane  Diversity”,  3GPP  TSG-RAN2  #83  Meeting,  Barcelona,  Spain,  August  19th  -  23th,  2013の図１は、以下でも説明するように、原則として、ＲＲＣダイバーシティが使用され得る複数のハンドオーバ事例を示している。
【０１１８】
本開示の実施形態を論じる前に、いくつかの実施形態で使用され得るように、新しい無線アクセス技術（ＮＲ  ＲＡＴ）の展開について、いくつかの一般的なガイドラインが与えられる。
【０１１９】
以下では、新しい無線アクセス技術に関して想定されるいくつかの展開シナリオが議論され、新しい無線アクセス技術のための無線インターフェースプロトコルを設計するためのいくつかのガイドラインが与えられる。
【０１２０】
図９にも示されている第１のシナリオでは、ＮＲ  ｅＮｏｄｅＢは、ＮＲセルを確立し、制御プレーンＣＰおよびユーザプレーンＵＰを介して次世代コアネットワーク（ＣＮ）ＮｅｘｔＧｅｎ  Ｃｏｒｅと通信する。
【０１２１】
セルレイアウトに関しては、スタンドアロンＮＲに対して、以下のシナリオが想定され得る。例えば、マクロセルまたはスモールセルのみなど、すべてのセルが同様のカバレージを提供する、同種展開を使用することができる。また、例えば、マクロセルとスモールセルなど、異なるサイズのセルが重なっている、異種展開を使用することもできる。
【０１２２】
ＣＮ−ＲＡＮ（コアネットワーク−無線アクセスネットワーク）接続に関しては、上述のように、ＮＲ  ｅＮｏｄｅＢなどのＮＲ基地局がＮｅｘｔＧｅｎ  Ｃｏｒｅに接続される、図９に示すようなシナリオを採用することができる。
【０１２３】
図１０は、ＮＲとＬＴＥとの間でＲＡＴ間モビリティが想定される、スタンドアロンＮＲ  ｅＮｏｄｅＢについての２つのさらなるシナリオを示す。
【０１２４】
図１０の左側では、ＬＴＥ  ｅＮｏｄｅＢがＥＰＣ（発展型パケットコア）に接続され、ＮＲ  ｅＮｏｄｅＢがＮｅｘｔＧｅｎ  Ｃｏｒｅに接続されており、ここにおいて、ＥＰＣとＮｅｘｔＧｅｎ  Ｃｏｒｅとの間で何らかの通信を提供することができる。
【０１２５】
図１０の右側では、ＬＴＥ  ｅＮｏｄｅＢとＮＲ  ｅＮｏｄｅＢの両方がＮｅｘｔＧｅｎ  Ｃｏｒｅに接続されており、基地局、ＬＴＥ  ｅＮｏｄｅＢ、およびＮＲ  ｅＮｏｄｅＢが互いに通信することができる。
【０１２６】
以下では、緊密なインターワーキングのためのＬＴＥ−ＮＲアグリゲーションについて論じる。
【０１２７】
図１１は、ＬＴＥ−ＮＲアグリゲーションに使用することができるセルレイアウトおよびｅＮｏｄｅＢロケーションに関する展開シナリオを示す。
【０１２８】
図１１は、ＬＴＥ（白い円盤）とＮＲセル（ハッシュ円盤）の両方が重ね合わされ、コロケートされ、同様のカバレージを提供しているシナリオを示す。ＬＴＥセルとＮＲセルは両方、マクロセルまたはスモールセルであり得る。
【０１２９】
図１２は、ＬＴＥ（白い円盤）およびＮＲセル（ハッシュ円盤）が重ね合わされ、コロケートされる（ＮＲ  ｅＮｏｄｅＢがそれぞれの線によって示されるＬＴＥ  ｅＮｏｄｅＢと通信する）、またはコロケートされず、ＬＴＥセルおよびＮＲセルのカバレージが異なる、別のシナリオを示す。コロケートされたセルとは、それぞれのｅＮｏｄｅＢが同じ場所に設置されている、マクロセルとともにスモールセルを指す。コロケートされていないセルとは、それぞれのｅＮｏｄｅＢが異なる場所に設置されている、マクロセルとともにスモールセルを指す。図１２の例では、ＬＴＥは、マクロセルにサービスし、ＮＲは、スモールセルにサービスする。当然、逆のシナリオも可能である。
【０１３０】
図１３は、いくつかの実施形態において、ＬＴＥ−ＮＲアグリゲーションに使用され得るＣＮ−ＲＡＮ接続に関して３つの異なる展開シナリオを示す。
【０１３１】
図１３の左側では、ＮＲセルは、ＥＰＣを介してＬＴＥに密接に統合されている。ＬＴＥ  ｅＮｏｄｅＢおよびＮＲ  ｅＮｏｄｅＢは、ＥＰＣと通信し、ＬＴＥ  ｅＮｏｄｅＢは、ＥＰＣとの制御プレーンＣＰおよびユーザプレーンＵＰ通信を実行し、ＮＲ  ｅＮｏｄｅＢは、ＥＰＣとのユーザプレーンＵＰ通信のみを実行する。ＬＴＥ  ｅＮｏｄｅＢおよびＮＲ  ｅＮｏｄｅＢは、互いに制御プレーンＣＰおよびユーザプレーンＵＰ通信を実行することができる。
【０１３２】
図１３の中央では、ＬＴＥセルは、ＮｅｘｔＧｅｎ  Ｃｏｒｅを介してＮＲセルに密接に統合されている。ＬＴＥ  ｅＮｏｄｅＢおよびＮＲ  ｅＮｏｄｅＢは、ＮｅｘｔＧｅｎ  Ｃｏｒｅと通信し、ＮＲ  ｅＮｏｄｅＢは、ＮｅｘｔＧｅｎ  Ｃｏｒｅとの制御プレーンＣＰおよびユーザプレーンＵＰ通信を実行し、ＬＴＥ  ｅＮｏｄｅＢは、ＮｅｘｔＧｅｎ  ＣｏｒｅとのユーザプレーンＵＰ通信のみを実行する。ＬＴＥ  ｅＮｏｄｅＢおよびＮＲ  ｅＮｏｄｅＢは、互いに制御プレーンＣＰおよびユーザプレーンＵＰ通信を実行することができる。
【０１３３】
図１３の右側では、ＮＲセルは、ＮｅｘｔＧｅｎ  Ｃｏｒｅを介してＬＴＥセルに密接に統合されている。ＬＴＥ  ｅＮｏｄｅＢおよびＮＲ  ｅＮｏｄｅＢは、ＮｅｘｔＧｅｎ  Ｃｏｒｅと通信し、ＬＴＥ  ｅＮｏｄｅＢは、ＮｅｘｔＧｅｎ  Ｃｏｒｅとの制御プレーンＣＰおよびユーザプレーンＵＰ通信を実行し、ＮＲ  ｅＮｏｄｅＢは、ＮｅｘｔＧｅｎ  ＣｏｒｅとのユーザプレーンＵＰ通信のみを実行する。ＬＴＥ  ｅＮｏｄｅＢおよびＮＲ  ｅＮｏｄｅＢは、互いに制御プレーンＣＰおよびユーザプレーンＵＰ通信を実行することができる。
【０１３４】
従って、３つのシナリオすべてにおいて、コアネットワークＣＮとＲＡＮとの間に１つのＣプレーン接続が存在する。ＵプレーンデータＵＰは、ベアラベースでＣＮを介して直接ＲＡＮにルーティングされる（図１３においてＵＰでマークされた線）。あるいは、Ｕプレーンデータは、ＲＡＮにおける制御プレーンデータＣＰと同じベアラに含めることができ、その場合、ベアラは、それに応じて分割される（ｅＮｏｄｅＢ間のＣＰ＋ＵＰ線を参照）。
【０１３５】
従って、いくつかの実施形態は、ユーザ機器に無線リソース制御接続を提供するためのモバイル通信システム方法に関し、モバイル通信システムが少なくとも２つのセルを含み、第１のセルは、第１の無線アクセス技術に基づき、第２のセルは、第２の無線アクセス技術に基づき、方法は、第１の無線リソース制御メッセージを第１のセルからユーザ機器へ送信することと、第２の無線リソース制御メッセージを第２のセルからユーザ機器へ送信することと、第１の無線リソース制御メッセージおよび第２の無線リソース制御メッセージの少なくとも一方に基づいて、無線リソース制御接続を提供することと、を含む。この方法は、本明細書で説明されているように、ＬＴＥ基地局、ＮＲ基地局、およびユーザ機器によって実行され得る。無線リソース制御メッセージは、ハンドオーバメッセージ、無線リソース制御再確立メッセージ、または無線リソース制御再構成メッセージとすることができ、提供される無線リソース制御接続は、ハンドオーバ、ＲＲＣ再確立、およびＲＲＣ再構成のうちの少なくとも１つとすることができる。
【０１３６】
上述のように、無線アクセス技術は、ＬＴＥ、ＬＴＥ−Ａ、またはＮＲとすることができ、従って、第１／第２のセルは、例えば、ＬＴＥ  ｅＮｏｄｅＢおよびＮＲ  ｅＮｏｄｅＢなど、それぞれＬＴＥ基地局およびＮＲ基地局によって確立されるＬＴＥセルまたはＮＲセルであり得る。
【０１３７】
ハンドオーバメッセージは、ＲＲＣメッセージであり、従って、論じたように、ＲＲＣダイバーシティが実装され得る。
【０１３８】
第１および第２の無線リソース制御メッセージは、第１および第２の、および、従って異なるＲＡＴセルを介して送信される、異なるハンドオーバコマンドなど、異なる構成を含み得る。ＵＥは、受信されたハンドオーバ（無線リソース制御）メッセージに基づいて、ハンドオーバを実行してもよい。例えば、ＵＥは、例えば、関連するセルのカバレージを既に離れているので、ＵＥは、第１または第２の無線リソース制御（例えば、ハンドオーバ）メッセージを受信しないことが起こり得る。さらに、ＵＥは、以下でも説明するように、第１および第２の両方の無線リソース制御（例えばハンドオーバ）メッセージが受信された場合、例えば第１または第２の無線リソース制御（例えばハンドオーバ）メッセージなど、どの無線リソース制御メッセージがハンドオーバを実行するために使用されるかを決定し得る。例えば、第１または第２の無線リソース制御メッセージに含まれる構成が優先されてもよい。
【０１３９】
従って、いくつかの実施形態では、第１および第２の無線リソース制御（例えばハンドオーバ）メッセージを提供することによって、困難な状態下でのハンドオーバ失敗に起因するサービス中断を低減し得るフォールバックメカニズムが提供される。
【０１４０】
いくつかの実施形態では、第１の無線リソース制御メッセージおよび第２の無線リソース制御メッセージがユーザ機器から受信された場合、セルカバレージ、ビームカバレージ、およびユーザ機器のモビリティ状態のうちの少なくとも１つに基づいて、第１の無線リソース制御メッセージまたは第２の無線リソース制御（例えばハンドオーバ）メッセージに基づいて、ハンドオーバを実行するかどうかが決定される。
【０１４１】
いくつかの実施形態では、第１のセルはマクロセル（例えばＬＴＥセル）であり、第１の無線リソース制御メッセージは、第１のセル内に位置する第３のセルについてのハンドオーバ構成データを含む。第３のセルは、第２のセルのＲＡＴに基づき、例えば、第１のセルのカバレージよりも小さいカバレージを有するＮＲセルであり得る。
【０１４２】
いくつかの実施形態では、第１のセルは、マクロセルであり、第１の無線リソース制御メッセージは、第３のセルについてのハンドオーバ構成を含み、第３のセルは、第１のセルの無線アクセス技術に基づく。第３のセルは、第１のセルなどのＬＴＥセルなどのマクロセルでもよい。
【０１４３】
いくつかの実施形態では、第２のセルは、スモールセルであり、第２の無線リソース制御メッセージは、第４のセルについてのハンドオーバ構成データを含み、第４のセルは、第２のセルの無線アクセス技術に基づく。
【０１４４】
いくつかの実施形態では、第１の無線リソース制御メッセージは、第１のビームを示し、第２の無線リソース制御メッセージは、第２のビームを示し、第１のビームは第２のビームよりも広い。
【０１４５】
図１４に戻ると、ＬＴＥとＮＲの両方へのデュアル接続を必要とする、上述の複数の展開シナリオの中の１つの展開シナリオを使用する（図１のＲＡＮ１と同様の）ＲＡＮ９０が示されている。
【０１４６】
このシナリオでは、ＵＥ６（図１も参照）は、ＬＴＥ  ｅＮｏｄｅＢ９３によって確立され、（例えば、ＰＣｅｌｌと同様の）一次制御プレーン機能を提供し得るＬＴＥマクロセル９２に接続される。
【０１４７】
ＵＥ６は、１つまたは複数のＮＲセルにも接続されており、図１４は、それぞれＮＲ  ｅＮｏｄｅＢ９５ａ、９５ｂ、および９５ｃによって各々確立され、（例えばＳＣｅｌｌと同様）高いユーザプレーンスループットに必要な帯域幅を各々提供する３つのＮＲセル９４ａ、９４ｂ、および９４ｃを示す。
【０１４８】
ＮＲセル９４ａ〜９４ｃは、単一のＣＵ（制御ユニット）に接続された複数のＴＲＰ／ＤＵ（送受信ポイント／分散ユニット）をも含み得る。
【０１４９】
この単純なモビリティシナリオでは、ＵＥ６は、３つのＮＲセル９４ａ〜９４ｃなど、複数のＮＲスモールセルのカバレージを通過している間、同じＬＴＥセル９２のカバレージ下に留まる（ＵＥ６によって取られる経路を示す点線の矢印を参照）。
【０１５０】
本実施形態では、図１５に示すモバイル通信システム方法１００は、ｅＮｏｄｅＢ９３および９５ａ〜９５ｃならびにＵＥ６によって実行される。
【０１５１】
ＮＲおよびＬＴＥでの、ＲＲＣメッセージ、すなわちこの実施形態ではハンドオーバメッセージは、両方の無線リンクによって送信される。従って、本実施形態では、ＬＴＥセル９２への接続を維持しながら、第２のＮＲスモールセル９４ｂへのハンドオーバを構成する（または代わりに、無線リンクの追加−第２のＮＲスモールセルのための接続を追加する）ために、１０１で、第１のＮＲセル９４ａによってＮＲハンドオーバメッセージとともに、ハンドオーバ構成が送信され得る。
【０１５２】
高速では、ＵＥ６が複数のスモールセルのカバレージを素早く通過することがあるので、特に、ＮＲセル９４ａ〜９４ｃなどのスモールセルの場合、ハンドオーバ失敗の可能性はより高くなり得る。
【０１５３】
従って、ハンドオーバメッセージが第１のＮＲセル９４ａからＵＥ６に届かない、またはハンドオーバ完了メッセージが第２のＮＲセル９４ｂによって受信されず、一方、ＵＥ６は、セル９４ａおよび９４ｂを通過する可能性がある。
【０１５４】
従って、本実施形態では、ＬＴＥセル９２、すなわちＬＴＥ  ｅＮｏｄｅＢ９３も、１０２で、ＬＴＥ無線上でＵＥ６にハンドオーバメッセージを送信する。１０２で送信されたハンドオーバメッセージはさらに、第３のＮＲセル９４ｃのための構成を提供する。
【０１５５】
従って、何らかの理由で、１０３で、ＵＥ６が第２のＮＲセル９４ｂへの接続に失敗した場合、次いで、ＵＥ６は、ＬＴＥハンドオーバメッセージに基づいて、１０４で、第３のＮＲセル９４ｃへの接続を試みる。
【０１５６】
例えば、サポートされているビットレートが低いことに起因して、ＬＴＥを介して送信されたＬＴＥハンドオーバメッセージがＵＥ６から受信されるのにより長い時間がかかる可能性がある。従って、最初のハンドオーバが失敗した場合、次のハンドオーバが少し遅れて受信され、ＵＥ６は、この間に第３のＮＲセル９４ｃに移動した可能性がある。
【０１５７】
別の実施形態が図１６に示されており、ＲＡＮ９０は、基本的に図１４のＲＡＮ９０に対応しているが、異なる点は、第２のＬＴＥ  ｅノードＢ９３’によって確立される第２のＬＴＥセル９２’が存在すること、および、それぞれＮＲ  ｅＮｏｄｅＢ９５ａ’、９５ｂ’、および９５ｃ’によって各々確立される３つのＮＲセル９４ａ’〜９４ｃ’が存在することである。
【０１５８】
ＵＥ６は、２つのＬＴＥセル９２と９２’との間の境界に位置している。
【０１５９】
図１７は、図１６のＲＡＮ９０の構成要素によって実行することができ、上記で説明した方法１００と組み合わせることができるモバイル通信システム方法１１０を示す。本開示を限定することなく、以下の実施形態は、ハンドオーバメッセージである無線リソース制御メッセージに基づく。
【０１６０】
ＬＴＥセル９２は、１１１で、ＬＴＥセル間、すなわち、ＬＴＥセル９２とＬＴＥセル９２’との間のハンドオーバ構成を含むハンドオーバメッセージを送信する。随意に、ＬＴＥハンドオーバメッセージは、例えば、９４ａ’、９４ｂ’または９４ｃ’など、いくつかのＮＲスモールセルをも構成し得る。
【０１６１】
さらに、例えば９４ａおよび９４ｂなどのＮＲセルは、１１２で、ＮＲセル９４ｂ’および９４ｃ’などのＮＲ隣接セルをハンドオーバのために構成するＮＲハンドオーバメッセージを送信する。
【０１６２】
１１３で、ＵＥ６は、１１１で送信されたハンドオーバメッセージに含まれるＬＴＥハンドオーバコマンドに基づいて、ＬＴＥハンドオーバを実行する。
【０１６３】
この実施形態では、ＮＲセル構成は異なってもよく、例えば異なるハンドオーバコマンドからの情報を効果的に組み合わせることによって、ＬＴＥハンドオーバが完了すると、１１４で、ＵＥ６はＮＲセルに新しいＮＲ構成を適用してもよい。
【０１６４】
別の実施形態が図１８に示されており、ＲＡＮ９０は、基本的に図１４のＲＡＮ９０に対応しているが、異なる点は、ＮＲセル９４ｂが、２つのビーム、すなわち（第１のビーム９４ｂ１と比較して）広く短い第２のビーム９４ｂ２と比較して狭くて長い第１のビーム９４ｂ１によって形成されるということである。
【０１６５】
この実施形態では、ＮＲセル９４ｂは、ビーム９４ｂ１および９４ｂ２に起因して、より挑戦的な構成を提供し、ＬＴＥセル９２は、大きいので、それほど挑戦的でない構成を提供する。
【０１６６】
図１９は、図１８のＲＡＮ９０の構成要素によって実行することができ、上記で説明した方法１００および１１０と組み合わせることができるモバイル通信システム方法１２０を示す。本開示を限定することなく、以下の実施形態は、ハンドオーバメッセージである無線リソース制御メッセージに基づく。
【０１６７】
例えば、ＮＲセル９４ａは、１２１で、それぞれのＮＲハンドオーバメッセージを送信することによって、ＵＥ６をＮＲセル９４ｂの比較的狭いビーム９４ｂ１にハンドオーバすることを試みることができる。狭いビーム９４ｂ１は、例えば、より高いスループットを提供することができるが、この狭いビーム９４ｂ１に接続することは、モビリティシナリオにおいてより困難である。従って、１２２でそれぞれのＬＴＥハンドオーバメッセージを送信することによって、ＬＴＥセル９２は、例えば９４ｂ２など、より広いビームのための構成を提供する。１２３で、狭いビーム９４ｂ１に接続することに失敗した場合、ＬＴＥハンドオーバメッセージは、ＵＥ６によって使用することができ、ＵＥ６は、１２３でハンドオーバ失敗を検出すると、１２４で、より広いビーム９４ｂ２へのハンドオーバを実行する。このより広いビーム９４ｂ２は、ＵＥ６がより狭いビーム９４ｂ１に接続していた場合よりも少ないスループットしか提供しないが、サービスは、ＵＥ６が単にハンドオーバに失敗し、回復手順を実行する必要がある場合、または、ＵＥ６がＬＴＥ  Ｕプレーンにフォールバックする必要がある場合よりもはるかに高い品質で継続できる。
【０１６８】
別の実施形態では、ＮＲセルを介して送信されるＮＲハンドオーバメッセージに含まれるハンドオーバコマンドは、１つまたは複数の特定のセルのための構成を提供し、ＬＴＥハンドオーバコマンドを含むＬＴＥハンドオーバメッセージは、ＵＥがＮＲハンドオーバメッセージで提供されたセルのいずれにも接続できない場合に使用され得る追加のセルを構成しようと試みる。これは、例えば、ＵＥの正確な位置および方向を正確に推定することができないときに起こり得る。
【０１６９】
以下では、汎用コンピュータ１３０の一実施形態について、図２０を参照して説明する。コンピュータ１３０は、基本的に、任意のタイプの基地局もしくは新しい無線基地局、送受信ポイント、または本明細書で説明するユーザ機器として機能することができるように実装することができる。コンピュータは、本明細書で説明したように、基地局、およびユーザ機器の回路のうちの任意の１つなどの回路を形成することができる構成要素１３１〜１４０を有する。
【０１７０】
本明細書で説明した方法を実行するためにソフトウェア、ファームウェア、プログラムなどを使用する実施形態は、コンピュータ１３０にインストールすることができ、次いで、具体的な実施形態に適するように構成される。
【０１７１】
コンピュータ１３０は、例えば、読取り専用メモリ（ＲＯＭ）１３２に記憶される、ストレージ１３７に記憶され、ランダムアクセスメモリ（ＲＡＭ）１３３にロードされる、それぞれのドライブ１３９に挿入可能な媒体１４０に記憶されるプログラムに従って、本明細書に記載されるような様々なタイプの手順および方法を実行することができる、ＣＰＵ１３１（中央演算処理装置）を有する。
【０１７２】
ＣＰＵ１３１、ＲＯＭ１３２、ＲＡＭ１３３は、バス１４１に接続され、バス１４１は、入出力インターフェース１３４に接続されている。ＣＰＵ、メモリ、およびストレージの数は例示的なものにすぎず、当業者は、コンピュータ１３０が、基地局、およびユーザ機器として機能するときに生じる特定の要件を満たすように適宜に適応され、構成され得ることを理解されよう。
【０１７３】
入出力インターフェース１３４には、いくつかの構成要素、入力１３５、出力１３６、ストレージ１３７、通信インターフェース１３８、および媒体１４０（コンパクトディスク、デジタルビデオディスク、コンパクトフラッシュメモリなど）を挿入できるドライブ１３９が接続されている。
【０１７４】
入力１３５は、ポインタデバイス（マウス、グラフィックテーブルなど）、キーボード、マイクロフォン、カメラ、タッチスクリーンなどとすることができる。
【０１７５】
出力１３６は、ディスプレイ（液晶ディスプレイ、陰極線管ディスプレイ、発光ダイオードディスプレイなど）、ラウドスピーカーなどを有することができる。
【０１７６】
ストレージ１３７は、ハードディスク、ソリッドステートドライブなどを有することができる。
【０１７７】
通信インターフェース１３８は、例えば、ローカルエリアネットワーク（ＬＡＮ）、ワイヤレスローカルエリアネットワーク（ＷＬＡＮ）、モバイル通信システム（ＧＳＭ、ＵＭＴＳ、ＬＴＥなど）、Ｂｌｕｅｔｏｏｔｈ、赤外線などを介して通信するように適応され得る。
【０１７８】
上記の説明は、コンピュータ１３０の例示的な構成に関するにすぎないことに留意されたい。追加のまたは他のセンサー、ストレージデバイス、インターフェースなどで代替的な構成が実装されてもよい。例えば、通信インターフェース１３８は、上述のＵＭＴＳおよびＬＴＥ以外の他の無線アクセス技術をサポートし得る。
【０１７９】
コンピュータ１３０が基地局として機能するとき、通信インターフェース１３８は、それぞれのエアインターフェース（例えば、Ｅ−ＵＴＲＡプロトコルＯＦＤＭＡ（ダウンリンク）およびＳＣ−ＦＤＭＡ（アップリンク）を提供する）、およびネットワークインターフェイス（例えば、Ｓ１−ＡＰ、ＧＴＰ−Ｕ、Ｓ１−ＭＭＥ、Ｘ２−ＡＰなどのプロトコルを実装する）をさらに有することができる。さらに、コンピュータ１３０は、１つまたは複数のアンテナおよび／またはアンテナアレイを有していてもよい。本開示は、そのようなプロトコルのいかなる特定性にも限定されない。
【０１８０】
本明細書で説明した方法は、いくつかの実施形態では、コンピュータおよび／またはプロセッサ上で実行されると、コンピュータおよび／またはプロセッサに方法を実行させるコンピュータプログラムとしても実装される。いくつかの実施形態では、コンピュータプログラム製品を記憶する非一時的コンピュータ可読記録媒体も提供され、コンピュータプログラム製品は、上述のプロセッサなどのプロセッサによって実行されると、本明細書で説明した方法を実行させる。
【０１８１】
実施形態は、方法ステップの例示的な順序で方法を説明することを認識されたい。しかし、方法ステップの特定の順序は、説明の目的のために与えられているにすぎず、拘束力があると解釈されないものとする。
【０１８２】
本明細書で説明され、添付の特許請求の範囲で請求されるすべてのユニットおよびエンティティは、特に明記しない限り、例えば、チップ上の集積回路ロジックとして実装することができ、そのようなユニットおよびエンティティによって提供される機能は、特に明記しない限り、ソフトウェアによって実装することができる。
【０１８３】
上述した本開示の実施形態が、少なくとも部分的にソフトウェア制御データ処理装置を使用して実施される限り、そのようなソフトウェア制御を提供するコンピュータプログラム、およびそのようなコンピュータプログラムが提供される送信、記憶、または他の媒体が、本開示の態様として想定されることが理解されよう。
【０１８４】
なお、本技術は、下記のように構成することもできる。
【０１８５】
（１）少なくとも１つのユーザ機器および少なくとも別の基地局と通信するように構成された回路を備えるモバイル通信システムのための基地局であって、回路が、
無線リソース制御ダイバーシティのために無線リソース制御メッセージを構成し、
構成された無線リソース制御メッセージをユーザ機器へ送信する、または構成された無線リソース制御メッセージをユーザ機器および少なくとも別の基地局から受信する
ようにさらに構成される、基地局。
（２）無線リソース制御メッセージが、ハンドオーバ、無線リソース制御確立、無線リソース制御再確立、無線リソース制御接続中断、および無線リソース制御接続再開のうちの少なくとも１つに関連付けられる、（１）に記載の基地局。
（３）回路が、無線リソース制御ダイバーシティをオン／オフにする、または、特定の無線リソース制御メッセージについて、無線リソース制御ダイバーシティをオン／オフにするようにさらに構成されている、（１）または（２）に記載の基地局。
（４）回路が、構成された無線リソース制御メッセージに基づいて、無線リソース制御ダイバーシティをオン／オフにするようにさらに構成されている、（３）に記載の基地局。
（５）回路が、構成された無線リソース制御メッセージが送信されるユーザ機器に基づいて、無線リソース制御ダイバーシティをオン／オフにするようにさらに構成されている、（３）または（４）に記載の基地局。
（６）回路が、無線リソース制御ダイバーシティをオン／オフにする、または、特定の無線リソース制御メッセージについて、無線リソースをオン／オフにするための指示メッセージをユーザ機器に送信するようにさらに構成されている、（３）から（５）のいずれか一項に記載の基地局。
（７）無線リソース制御ダイバーシティが、アップリンク基準信号測定に基づいて開始され、無線リソース制御ダイバーシティが、ダウンリンク通信またはアップリンク通信について実行される、（１）から（６）のいずれか一項に記載の基地局。
（８）回路が、フィードバック信号およびアップリンク基準信号のうちの少なくとも１つを送信するためにユーザ機器を構成するようにさらに構成されている、（７）に記載の基地局。
（９）回路が、受信されたフィードバック信号およびアップリンク基準信号のうちの少なくとも１つに基づいて、無線リソース制御構成を定義するようにさらに構成されている、（８）に記載の基地局。
（１０）無線リソース制御ダイバーシティが、ダウンリンク基準信号測定に基づいて開始され、無線リソース制御ダイバーシティが、アップリンク通信またはダウンリンク通信について実行される、（１）から（９）のいずれか一項に記載の基地局。
（１１）回路が、ダウンリンク無線リソース制御ダイバーシティセットおよびアップリンク無線リソース制御ダイバーシティセットのうちの少なくとも１つを決定するようにさらに構成されている、（１）から（１０）のいずれか一項に記載の基地局。
（１２）回路が、ダウンリンク品質に基づいてダウンリンク無線リソース制御ダイバーシティセットを決定する、またはアップリンク品質に基づいてアップリンク無線リソース制御ダイバーシティセットを決定するようにさらに構成されている、（１）に記載の基地局。
（１３）構成された無線リソース制御メッセージが、元の無線リソース制御メッセージ生成器識別子および追加の無線リソース制御送信機識別子のうちの少なくとも１つを含む、（１）から（１２）のいずれか一項に記載の基地局。
（１４）回路が、構成された無線リソース制御メッセージを反復送信するようにさらに構成されている、（１）から（３）のいずれか一項に記載の基地局。
（１５）構成された無線リソース制御メッセージの反復送信が、無線リソース制御メッセージの受信に応答して設定される、（１４）に記載の基地局。
（１６）反復送信が、所定のイベントに応答して、または所定の時間期間後に終了する、（１４）から（１５）のいずれか一項に記載の基地局。
（１７）タイマーが、構成された無線リソース制御メッセージの送信後に開始される、（１）から（１６）のいずれか一項に記載の基地局。
（１８）タイマーが、所定の時間期間後に満了する、（１７）に記載の基地局。
（１９）タイマーが、受信された無線リソース制御メッセージに応答して停止される、（１７）から（１８）のいずれか一項に記載の基地局。
（２０）タイマーの満了後に所定の動作が実行される、（１）または（１９）に記載の基地局。
（２１）基地局がユーザ機器にサービスを提供しない場合、回路が、ユーザ機器にサービスを提供する別の基地局に、受信された無線リソース制御メッセージを送信するようにさらに構成されている、（１）から（２０）のいずれか一項に記載の基地局。
（２２）基地局がユーザ機器にサービスを提供しない場合、回路が、ユーザ機器から受信された無線リソース制御メッセージに応答して、ユーザ機器にサービスを提供する別の基地局に、肯定応答メッセージを送信するようにさらに構成されている、（１）から（２１）のいずれか一項に記載の基地局。
（２３）回路が、別の基地局から構成された無線リソース制御メッセージを受信し、共通の無線リソース制御メッセージを送信するようにさらに構成されている、（１）から（２２）のいずれか一項に記載の基地局。
（２４）共通の無線リソース制御メッセージが、以下の条件、すなわち、リンク品質、カバレージ、ユーザ機器のモビリティ状態のうちの少なくとも１つに基づいて送信される、（２３）に記載の基地局。
（２５）無線リソース制御ダイバーシティ通信のために構成された回路を備えるモバイル通信システムのためのユーザ機器であって、回路が、
無線リソース制御ダイバーシティ通信のために構成された少なくとも２つの無線リソース制御メッセージを受信する
ようにさらに構成されている、ユーザ機器。
（２６）回路が、基地局から受信された指示メッセージに基づいて、無線リソース制御ダイバーシティ通信をオン／オフにするようにさらに構成されている、（２５）に記載のユーザ機器。
（２７）回路が、無線リソース制御確立に基づいて、無線リソース制御ダイバーシティ通信をオン／オフにするようにさらに構成されている、（２５）または（２６）に記載のユーザ機器。
（２８）ユーザ機器がセル境界に位置している場合、回路が、無線リソース制御ダイバーシティ通信をオン／オフにするようにさらに構成されている、（２５）から（２７）のいずれか一項に記載のユーザ機器。
（２９）無線リンク障害が検出された場合、回路が、無線リソース制御ダイバーシティ通信をオン／オフにするようにさらに構成されている、（２５）から（２８）のいずれか一項に記載のユーザ機器。
（３０）回路が、基地局から受信された無線リソース制御ダイバーシティセットに基づいて、少なくとも２つの無線リソース制御メッセージを受信するようにさらに構成されている、（２５）から（２９）のいずれか一項に記載のユーザ機器。
（３１）回路が、ターゲット無線リソース制御受信機識別子および追加の無線リソース制御受信機識別子のうちの少なくとも１つを含む無線リソース制御メッセージを送信するようにさらに構成されている、（２５）から（３０）のいずれか一項に記載のユーザ機器。
（３２）回路が、無線リソース制御メッセージの受信に応答して、肯定応答メッセージを送信するようにさらに構成されている、（２５）から（３１）のいずれか一項に記載のユーザ機器。
（３３）肯定応答メッセージが、受信された無線リソース制御メッセージのタイプに関する指示、および受信された無線リソース制御メッセージの出所に関する指示のうちの少なくとも１つを含む、（３２）に記載のユーザ機器。
（３４）ユーザ機器に無線リソース制御接続を提供するためのモバイル通信システム方法であって、モバイル通信システムが少なくとも２つのセルを含み、第１のセルが、第１の無線アクセス技術に基づき、第２のセルが、第２の無線アクセス技術に基づき、方法が、
第１の無線リソース制御メッセージを第１のセルからユーザ機器へ送信することと、
第２の無線リソース制御メッセージを第２のセルからユーザ機器へ送信することと、
第１の無線リソース制御メッセージおよび第２の無線リソース制御メッセージの少なくとも一方に基づいて、ハンドオーバを提供することと
を含む、モバイル通信システム方法。
（３５）無線リソース制御メッセージが、ハンドオーバメッセージ、無線リソース制御再確立メッセージ、または無線リソース制御再構成メッセージである、（３４）に記載のモバイル通信システム方法。
（３６）第１の無線リソース制御メッセージおよび第２の無線リソース制御メッセージがユーザ機器から受信された場合、セルカバレージ、ビームカバレージ、およびユーザ機器のモビリティ状態のうちの少なくとも１つに基づいて、第１の無線リソース制御メッセージまたは第２の無線リソース制御メッセージに基づいて、ハンドオーバを実行するかどうかが決定される、（３４）または（３５）に記載のモバイル通信システム方法。
（３７）第１のセルがマクロセルであり、第１の無線リソース制御メッセージが、第１のセル内に位置する第３のセルについてのハンドオーバ構成データを含む、（３４）または（３５）に記載のモバイル通信システム方法。
（３８）第１のセルがマクロセルであり、第１の無線リソース制御メッセージが、第３のセルについてのハンドオーバ構成を含み、第３のセルが、第１のセルの無線アクセス技術に基づく、（３４）から（３６）のいずれか一項に記載のモバイル通信システム方法。
（３９）第２のセルが、スモールセルであり、第２の無線リソース制御メッセージが、第４のセルについてのハンドオーバ構成データを含み、第４のセルが、第２のセルの無線アクセス技術に基づく、（３８）に記載の通信システム方法。
（４０）第１の無線リソース制御メッセージが、第１のビームを示し、第２の無線リソース制御メッセージが、第２のビームを示し、第１のビームが第２のビームよりも広い、（３４）から（３９）のいずれか一項に記載の通信システム方法。
【図１】
2019531007.tif 000003
【図２】
2019531007.tif 000004
【図３】
2019531007.tif 000005
【図４】
2019531007.tif 000006
【図５】
2019531007.tif 000007
【図６】
2019531007.tif 000008
【図７】
2019531007.tif 000009
【図８】
2019531007.tif 000010
【図９】
2019531007.tif 000011
【図１０】
2019531007.tif 000012
【図１１】
2019531007.tif 000013
【図１２】
2019531007.tif 000014
【図１３】
2019531007.tif 000015
【図１４】
2019531007.tif 000016
【図１５】
2019531007.tif 000017
【図１６】
2019531007.tif 000018
【図１７】
2019531007.tif 000019
【図１８】
2019531007.tif 000020
【図１９】
2019531007.tif 000021
【図２０】
2019531007.tif 000022
【国際調査報告】
2019531007.tif 000023
2019531007.tif 000024
2019531007.tif 000025